(57)【要約】本発明の視野角制御体（１）は、複数の光透過帯（１１）と複数の遮光帯（１２）とが交互に設けられているルーバー層（１０）を備え、前記複数の光透過帯（１１）と前記複数の遮光帯（１２）とが交互に設けられている方向Ａにおける視野角制御体（１）の一方の端部を含む第１端部領域（１ａ）と、前記方向Ａにおける視野角制御体（１）の他方の端部を含む第２端部領域（１ｂ）と、第１端部領域（１ａ）及び第２端部領域（１ｂ）の間の中央領域（１ｃ）とを有し、第１端部領域（１ａ）及び第２端部領域（１ｂ）に設けられた複数の光透過帯（１１）の幅の平均値が、前記中央領域（１ｃ）に設けられた複数の光透過帯（１１）の幅の平均値よりも広い。
2018225643.tif 000002
【特許請求の範囲】
【請求項１】
複数の光透過帯と複数の遮光帯とが交互に設けられているルーバー層を備える視野角制御体であって、
前記複数の光透過帯と前記複数の遮光帯とが交互に設けられている方向Ａにおける視野角制御体の一方の端部を含む第１端部領域と、前記方向Ａにおける視野角制御体の他方の端部を含む第２端部領域と、前記第１端部領域及び前記第２端部領域の間の中央領域とを有し、
前記第１端部領域及び前記第２端部領域に設けられた前記複数の光透過帯の幅が、前記中央領域に設けられた前記複数の光透過帯の幅よりも広い、視野角制御体。
【請求項２】
前記視野角制御体が平面視で長方形であり、前記方向Ａが視野角制御体の長手方向である、請求項１に記載の視野角制御体。
【請求項３】
前記中央領域に設けられた前記複数の光透過帯の幅の平均値が５０μｍ以上２００μｍ以下であり、前記第１端部領域及び前記第２端部領域に設けられた前記複数の光透過帯の幅の平均値が前記中央領域に設けられた前記複数の光透過帯の幅の平均値よりも１μｍ以上３０μｍ以下の範囲で広い、請求項１又は２に記載の視野角制御体。
【請求項４】
前記第１端部領域と前記中央領域との間に第１中間領域、及び前記第２端部領域と前記中央領域との間に第２中間領域を有し、前記第１中間領域に設けられた前記複数の光透過帯の幅の平均値は、前記第１端部領域に設けられた前記複数の光透過帯の幅の平均値よりも狭く且つ前記中央領域に設けられた前記複数の光透過帯の幅の平均値よりも広く、前記第２中間領域に設けられた前記複数の光透過帯の幅の平均値は、前記第２端部領域に設けられた前記複数の光透過帯の幅の平均値よりも狭く且つ前記中央領域に設けられた前記複数の光透過帯の幅の平均値よりも広い、請求項１又は２に記載の視野角制御体。
【請求項５】
前記中央領域に設けられた前記複数の光透過帯の幅の平均値が５０μｍ以上２００μｍ以下であり、前記第１中間領域に設けられた前記複数の光透過帯の幅の平均値が前記中央領域に設けられた前記複数の光透過帯の幅の平均値よりも１μｍ以上３０μｍ以下の範囲で広く、前記第１端部領域に設けられた前記複数の光透過帯の幅の平均値が前記第１中間領域に設けられた前記複数の光透過帯の幅の平均値よりも１μｍ以上３０μｍ以下の範囲で広く、前記第２中間領域に設けられた前記複数の光透過帯の幅の平均値が前記中央領域に設けられた前記複数の光透過帯の幅の平均値よりも１μｍ以上３０μｍ以下の範囲で広く、前記第２端部領域に設けられた前記複数の光透過帯の幅の平均値が前記第２中間領域に設けられた前記複数の光透過帯の幅の平均値よりも１μｍ以上３０μｍ以下の範囲で広い、請求項４に記載の視野角制御体。
【請求項６】
前記第１端部領域の視野角と、前記中央領域の視野角との差が１５°以下であり、
前記中央領域の視野角と、前記第２端部領域の視野角との差が１５°以下である、請求項１〜５のいずれか一項に記載の視野角制御体。
【請求項７】
前記第１端部領域内での前記複数の光透過帯の幅がそれぞれ同一であり、
前記第２端部領域内での前記複数の光透過帯の幅がそれぞれ同一であり、
前記中央領域内での前記複数の光透過帯の幅がそれぞれ同一である、請求項１〜６のいずれか一項に記載の視野角制御体。
【請求項８】
複数の光透過帯用シートと複数の遮光帯用シートとを交互に積層して積層体を形成することと、前記積層体を加圧してブロック体を形成することと、前記ブロック体を前記複数の光透過帯用シートと前記複数の遮光帯用シートとを交互に積層した方向に沿って切断することとを有し、
前記積層体を形成することは、複数の第１光透過帯用シートと複数の第１遮光帯用シートとを交互に積層して第１積層ユニットを形成することと、前記第１光透過帯用シートより薄い複数の第２光透過帯用シートと複数の第２遮光帯用シートとを交互に積層して第２積層ユニットを形成することと、前記第２光透過帯用シートより厚い複数の第３光透過帯用シートと複数の第３遮光帯用シートとを交互に積層して第３積層ユニットを形成すること、及び前記第１積層ユニットと前記第３積層ユニットとの間に前記第２積層ユニットを配置することを含む、視野角制御体の製造方法。
【請求項９】
前記複数の第２光透過帯用シートの厚さの平均値が５０μｍ以上２００μｍ以下であり、前記複数の第１光透過帯用シートの厚さの平均値及び前記複数の第３光透過帯用シートの厚さの平均値が前記複数の第２光透過帯用シートの厚さの平均値よりも１μｍ以上３０μｍ以下の範囲で厚い、請求項８に記載の視野角制御体の製造方法。
【請求項１０】
前記積層体を形成することは、さらに、前記第１光透過帯用シートより薄く且つ前記第２光透過帯用シートより厚い複数の第４光透過帯用シートと複数の第４遮光帯用シートとを交互に積層して第４積層ユニットを形成すること、前記第３光透過帯用シートより薄く且つ前記第２光透過帯用シートより厚い複数の第５光透過帯用シートと複数の第５遮光帯用シートとを交互に積層して第５積層ユニットを形成すること、前記第１積層ユニットと前記第２積層ユニットとの間に前記第４積層ユニットを配置すること、前記第２積層ユニットと前記第３積層ユニットとの間に前記第５積層ユニットを配置すること、及び前記第４積層ユニットと前記第５積層ユニットとの間に前記第２積層ユニットを配置することを含む、請求項８に記載の視野角制御体の製造方法。
【請求項１１】
前記複数の第２光透過帯用シートの厚さの平均値が５０μｍ以上２００μｍ以下であり、前記複数の第４光透過帯用シートの厚さの平均値が前記複数の第２光透過帯用シートの厚さの平均値よりも１μｍ以上３０μｍ以下の範囲で厚く、前記複数の第１光透過帯用シートの厚さの平均値が前記複数の第４光透過帯用シートの厚さの平均値よりも１μｍ以上３０μｍ以下の範囲で厚く、前記複数の第５光透過帯用シートの厚さの平均値が前記複数の第２光透過帯用シートの厚さの平均値よりも１μｍ以上３０μｍ以下の範囲で厚く、前記複数の第２光透過帯用シートの厚さの平均値が前記複数の第５光透過帯用シートの厚さの平均値よりも１μｍ以上３０μｍ以下の範囲で厚い、請求項１０に記載の視野角制御体の製造方法。
【請求項１２】
画像表示体と、前記画像表示体の画像表示側に設けられた請求項１〜７のいずれか一項に記載の視野角制御体とを備える、視野角制御画像表示体。
【請求項１３】
前記画像表示体に秘匿情報が表示され、前記秘匿情報が表示される領域に前記視野角制御体の中央領域が重ねられている、請求項１２に記載の視野角制御画像表示体。
【発明の詳細な説明】
【技術分野】
【０００１】
本発明は、画像表示装置等によって表示される画像の視野角を制御する視野角制御体及びその製造方法、並びに、視野角制御体を備えた視野角制御画像表示体に関する。
本願は、２０１７年６月５日に、日本に出願された特願２０１７−１１０８７９号に基づき優先権を主張し、その内容をここに援用する。
【背景技術】
【０００２】
情報を表示すると共に入力するための装置として、タッチパネル付きの画像表示装置を備えた情報入出力機器が広く普及している。この情報入出力機器においては、画像表示装置に表示される画像に秘匿情報が含まれることがあるため、画像表示装置の表示面には、手前側からの視認性を損なうことなく、左右側及び向かい側からの覗き見を防止するためのシート状の視野角制御体が設けられている。
覗き見防止用の視野角制御体としては、光透過帯と遮光帯とが交互に設けられたルーバー層と、ルーバー層の一方の面に設けられた透明保護層と、前記ルーバー層の他方の面に設けられた透明性の粘着層とが積層された積層体が知られている（特許文献１）。また、視野角を制御するルーバー層において、光透過帯の幅を漸次変化させて、視野角制御体全体の視野角を制限するものが知られている（特許文献２，３）。
【先行技術文献】
【特許文献】
【０００３】
【特許文献１】特開２００７−２１２５０７号公報
【特許文献２】特開昭６２−２４９１０２号公報
【特許文献３】特開２００８−１０７４０４号公報
【発明の概要】
【発明が解決しようとする課題】
【０００４】
しかし、画像表示装置の表示面に、特許文献１〜３に記載されているような視野角制御体を設けると、表示面端部領域にて表示された画像の視認性が低下することがある。特に、近年では画像表示装置の表示面が大型化される傾向にあり、大型の表示面の場合には端部領域に表示された画像の視認性低下が顕著である。【０００５】
本発明は、画像表示装置等の画像表示体により表示された画像を覗き見されても画像が視認されにくい覗き見防止性を有しながらも、画像表示体表示面の端部領域に表示された画像の視認性を確保できる視野角制御体及びその製造方法を提供することを目的とする。
また、本発明は、覗き見防止性を有すると共に、画像表示体表示面の端部領域に表示された画像の視認性が確保されている視野角制御画像表示体を提供することを目的とする。
【課題を解決するための手段】
【０００６】
本発明は、以下の態様を包含する。
［１］光透過帯と遮光帯とが交互に複数設けられているルーバー層を備えるシート状の視野角制御体であって、
該視野角制御体の面方向に沿った方向Ａにおける視野角制御体の一方の端部を含む第１端部領域と、前記方向Ａにおける視野角制御体の他方の端部を含む第２端部領域と、前記第１端部領域及び前記第２端部領域の間に形成された中央領域とを有し、
前記第１端部領域及び前記第２端部領域に設けられた光透過帯の、前記方向Ａに沿う幅が、前記中央領域に設けられた光透過帯の、前記方向Ａに沿う幅よりも広い、視野角制御体。
［２］前記視野角制御体が長方形であり、前記方向Ａが視野角制御体の長手方向である、［１］に記載の視野角制御体。
［３］前記中央領域に設けられた光透過帯の幅が５０μｍ以上２００μｍ以下であり、前記第１端部領域及び前記第２端部領域に設けられた光透過帯の幅が前記中央領域に設けられた光透過帯の幅よりも１μｍ以上３０μｍ以下の範囲で広くなっている、［１］又は［２］に記載の視野角制御体。
［４］前記第１端部領域と前記中央領域との間に第１中間領域を有すると共に、前記第２端部領域と前記中央領域との間に第２中間領域を有し、前記第１中間領域に設けられた光透過帯の幅は、前記第１端部領域に設けられた光透過帯の幅よりも狭く且つ前記中央領域に設けられた光透過帯の幅よりも広く、前記第２中間領域に設けられた光透過帯の幅は、前記第２端部領域に設けられた光透過帯の幅よりも狭く且つ前記中央領域に設けられた光透過帯の幅よりも広い、［１］又は［２］に記載の視野角制御体。
［５］前記中央領域に設けられた光透過帯の幅が５０μｍ以上２００μｍ以下であり、前記第１中間領域に設けられた光透過帯の幅が前記中央領域に設けられた光透過帯の幅よりも１μｍ以上３０μｍ以下の範囲で広くされ、前記第１端部領域に設けられた光透過帯の幅が前記第１中間領域に設けられた光透過帯の幅よりも１μｍ以上３０μｍ以下の範囲で広くされ、前記第２中間領域に設けられた光透過帯の幅が前記中央領域に設けられた光透過帯の幅よりも１μｍ以上３０μｍ以下の範囲で広くされ、前記第２端部領域に設けられた光透過帯の幅が前記第２中間領域に設けられた光透過帯の幅よりも１μｍ以上３０μｍ以下の範囲で広くされている、［４］に記載の視野角制御体。
［６］互いに隣接する領域の視野角の差が１５°以下になるように各領域の光透過帯の幅が調整されている、［１］〜［５］のいずれか一に記載の視野角制御体。
［７］各領域内での光透過帯の幅が同一とされている、［１］〜［６］のいずれか一に記載の視野角制御体。【０００７】
［８］光透過帯用シートと遮光帯用シートとを交互に複数積層して積層体を形成する積層体形成工程と、前記積層体を加圧してブロック体を形成するブロック体形成工程と、前記ブロック体を前記各シート表面に対して垂直に切断する切断工程とを有し、
前記積層体形成工程は、第１光透過帯用シートと遮光帯用シートとを交互に複数積層して第１積層ユニットを形成する第１積層ユニット形成工程と、第１光透過帯用シートより薄い第２光透過帯用シートと遮光帯用シートとを交互に複数積層して第２積層ユニットを形成する第２積層ユニット形成工程と、第２光透過帯用シートより厚い第３光透過帯用シートと遮光帯用シートとを交互に複数積層して第３積層ユニットを形成する第３積層ユニット形成工程とを有し、第１積層ユニットと第３積層ユニットとの間に第２積層ユニットを配置する、視野角制御体の製造方法。
［９］前記第２光透過帯用シートの厚さを５０μｍ以上２００μｍ以下とし、前記第１光透過帯用シートの厚さ及び前記第３光透過帯用シートの厚さを前記第２光透過帯用シートの厚さよりも１μｍ以上３０μｍ以下の範囲で厚くする、［８］に記載の視野角制御体の製造方法。
［１０］前記積層体形成工程は、第１光透過帯用シートより薄く且つ第２光透過帯用シートより厚い第４光透過帯用シートと遮光帯用シートとを交互に複数積層して第４積層ユニットを形成する第４積層ユニット形成工程と、第３光透過帯用シートより薄く且つ第２光透過帯用シートより厚い第５光透過帯用シートと遮光帯用シートとを積層して第５積層ユニットを形成する第５積層ユニット形成工程とをさらに有し、第１積層ユニットと第２積層ユニットとの間に第４積層ユニットを配置し、第２積層ユニットと第３積層ユニットとの間に第５積層ユニットを配置し、第４積層ユニットと第５積層ユニットとの間に第２積層ユニットを配置する、［８］に記載の視野角制御体の製造方法。
［１１］前記第２光透過帯用シートの厚さを５０μｍ以上２００μｍ以下とし、前記第４光透過帯用シートの厚さを前記第２光透過帯用シートの厚さよりも１μｍ以上３０μｍ以下の範囲で厚くし、前記第１光透過帯用シートの厚さを前記第４光透過帯用シートの厚さよりも１μｍ以上３０μｍ以下の範囲で厚くし、前記第５光透過帯用シートの厚さを前記第２光透過帯用シートの厚さよりも１μｍ以上３０μｍ以下の範囲で厚くし、前記第２光透過帯用シートの厚さを前記第５光透過帯用シートの厚さよりも１μｍ以上３０μｍ以下の範囲で厚くする、［１０］に記載の視野角制御体の製造方法。【０００８】
［１２］画像表示体と、前記画像表示体の画像表示側に設けられた［１］〜［７］のいずれか一に記載の視野角制御体とを備える、視野角制御画像表示体。
［１３］前記画像表示体に秘匿情報が表示され、前記秘匿情報の表示に前記視野角制御体の中央領域が重ねられている、［１２］に記載の視野角制御画像表示体。【０００９】
また、本発明は、以下の態様を包含する。
［１］  複数の光透過帯と複数の遮光帯とが交互に設けられているルーバー層を備える視野角制御体であって、
前記複数の光透過帯と前記複数の遮光帯とが交互に設けられている方向Ａにおける視野角制御体の一方の端部を含む第１端部領域と、前記方向Ａにおける視野角制御体の他方の端部を含む第２端部領域と、前記第１端部領域及び前記第２端部領域の間の中央領域とを有し、
前記第１端部領域及び前記第２端部領域に設けられた前記複数の光透過帯の幅の平均値が、前記中央領域に設けられた前記複数の光透過帯の幅の平均値よりも広い、視野角制御体。
［２］  前記視野角制御体が平面視で長方形であり、前記方向Ａが視野角制御体の長手方向である、［１］に記載の視野角制御体。
［３］  前記中央領域に設けられた前記複数の光透過帯の幅の平均値が５０μｍ以上２００μｍ以下であり、前記第１端部領域及び前記第２端部領域に設けられた前記複数の光透過帯の幅の平均値が前記中央領域に設けられた前記複数の光透過帯の幅の平均値よりも１μｍ以上３０μｍ以下の範囲で広い、［１］又は［２］に記載の視野角制御体。
［４］  前記第１端部領域と前記中央領域との間に第１中間領域、及び前記第２端部領域と前記中央領域との間に第２中間領域を有し、前記第１中間領域に設けられた前記複数の光透過帯の幅の平均値は、前記第１端部領域に設けられた前記複数の光透過帯の幅の平均値よりも狭く且つ前記中央領域に設けられた前記複数の光透過帯の幅の平均値よりも広く、前記第２中間領域に設けられた前記複数の光透過帯の幅の平均値は、前記第２端部領域に設けられた前記複数の光透過帯の幅の平均値よりも狭く且つ前記中央領域に設けられた前記複数の光透過帯の幅の平均値よりも広い、［１］又は［２］に記載の視野角制御体。
［５］  前記中央領域に設けられた前記複数の光透過帯の幅の平均値が５０μｍ以上２００μｍ以下であり、前記第１中間領域に設けられた前記複数の光透過帯の幅の平均値が前記中央領域に設けられた前記複数の光透過帯の幅の平均値よりも１μｍ以上３０μｍ以下の範囲で広く、前記第１端部領域に設けられた前記複数の光透過帯の幅の平均値が前記第１中間領域に設けられた前記複数の光透過帯の幅の平均値よりも１μｍ以上３０μｍ以下の範囲で広く、前記第２中間領域に設けられた前記複数の光透過帯の幅の平均値が前記中央領域に設けられた前記複数の光透過帯の幅の平均値よりも１μｍ以上３０μｍ以下の範囲で広く、前記第２端部領域に設けられた前記複数の光透過帯の幅の平均値が前記第２中間領域に設けられた前記複数の光透過帯の幅の平均値よりも１μｍ以上３０μｍ以下の範囲で広い、［４］に記載の視野角制御体。
［６］  前記第１端部領域の視野角と、前記中央領域の視野角との差が１５°以下であり、
前記中央領域の視野角と、前記第２端部領域の視野角との差が１５°以下である、請求項１〜５のいずれか一項に記載の視野角制御体。
［７］  前記第１端部領域内での前記複数の光透過帯の幅がそれぞれ同一であり、
前記第２端部領域内での前記複数の光透過帯の幅がそれぞれ同一であり、
前記中央領域内での前記複数の光透過帯の幅がそれぞれ同一である、［１］〜［６］のいずれか一項に記載の視野角制御体。
［８］  前記中央領域の幅が、視野角制御体の長手方向の全長に対して、２０％以上８０％以下であることが好ましく、３０％以上６０％以下であることがより好ましい、［１］〜［７］のいずれか一項に記載の視野角制御体。
［９］  前記第１端部領域の幅及び前記第２端部領域の幅が、視野角制御体の長手方向の全長に対して、１０％以上４０％以下であることが好ましく、２０％以上３５％以下であることがより好ましい、［１］〜［８］のいずれか一項に記載の視野角制御体。
［１０］  前記複数の遮光帯の幅の平均値が、１μｍ以上５０μｍ以であることが好ましく、１０μｍ以上３０μｍ以下であることがより好ましい、［１］〜［９］のいずれか一項に記載の視野角制御体。
［１１］  複数の光透過帯用シートと複数の遮光帯用シートとを交互に積層して積層体を形成することと、前記積層体を加圧してブロック体を形成することと、前記ブロック体を前記複数の光透過帯用シートと前記複数の遮光帯用シートとを交互に積層した方向に沿って切断することとを有し、
前記積層体を形成することは、複数の第１光透過帯用シートと複数の第１遮光帯用シートとを交互に積層して第１積層ユニットを形成することと、前記第１光透過帯用シートより薄い複数の第２光透過帯用シートと複数の第２遮光帯用シートとを交互に積層して第２積層ユニットを形成することと、前記第２光透過帯用シートより厚い複数の第３光透過帯用シートと複数の第３遮光帯用シートとを交互に積層して第３積層ユニットを形成すること、及び前記第１積層ユニットと前記第３積層ユニットとの間に前記第２積層ユニットを配置することを含む、視野角制御体の製造方法。
［１２］  前記複数の第２光透過帯用シートの厚さの平均値が５０μｍ以上２００μｍ以下であり、前記複数の第１光透過帯用シートの厚さの平均値及び前記複数の第３光透過帯用シートの厚さの平均値が前記複数の第２光透過帯用シートの厚さの平均値よりも１μｍ以上３０μｍ以下の範囲で厚い、［１１］に記載の視野角制御体の製造方法。
［１３］  前記積層体を形成することは、さらに、前記第１光透過帯用シートより薄く且つ前記第２光透過帯用シートより厚い複数の第４光透過帯用シートと複数の第４遮光帯用シートとを交互に積層して第４積層ユニットを形成すること、前記第３光透過帯用シートより薄く且つ前記第２光透過帯用シートより厚い複数の第５光透過帯用シートと複数の第５遮光帯用シートとを交互に積層して第５積層ユニットを形成すること、前記第１積層ユニットと前記第２積層ユニットとの間に前記第４積層ユニットを配置すること、前記第２積層ユニットと前記第３積層ユニットとの間に前記第５積層ユニットを配置すること、及び前記第４積層ユニットと前記第５積層ユニットとの間に前記第２積層ユニットを配置することを含む、［１１］に記載の視野角制御体の製造方法。
［１４］  前記複数の第２光透過帯用シートの厚さの平均値が５０μｍ以上２００μｍ以下であり、前記複数の第４光透過帯用シートの厚さの平均値が前記複数の第２光透過帯用シートの厚さの平均値よりも１μｍ以上３０μｍ以下の範囲で厚く、前記複数の第１光透過帯用シートの厚さの平均値が前記複数の第４光透過帯用シートの厚さの平均値よりも１μｍ以上３０μｍ以下の範囲で厚く、前記複数の第５光透過帯用シートの厚さの平均値が前記複数の第２光透過帯用シートの厚さの平均値よりも１μｍ以上３０μｍ以下の範囲で厚く、前記複数の第２光透過帯用シートの厚さの平均値が前記複数の第５光透過帯用シートの厚さの平均値よりも１μｍ以上３０μｍ以下の範囲で厚い、［１３］に記載の視野角制御体の製造方法。
［１５］  画像表示体と、前記画像表示体の画像表示側に設けられた［１］〜［１０］のいずれか一項に記載の視野角制御体とを備える、視野角制御画像表示体。
［１６］  前記画像表示体に秘匿情報が表示され、前記秘匿情報が表示される領域に前記視野角制御体の中央領域が重ねられている、［１５］に記載の視野角制御画像表示体。【００１０】
本態様の視野角制御体においては、視野角制御体全体にわたって遮光帯の設置角が同一とされていることが好ましい。ここで、設置角とは、視野角制御体表面の垂直方向に対する遮光帯の角度であって、０°以上９０°未満の範囲の角度である。
本態様の視野角制御体においては、ルーバー層の厚さが一定とされていることが好ましい。
本態様の視野角制御体においては、遮光帯の幅が、視野角制御体１の全体にわたって同一であることが好ましい。
本態様の視野角制御体の製造方法においては、ルーバー層の厚さが一定になるようにブロック体を切断することが好ましい。
【発明の効果】
【００１１】
本発明の視野角制御体は、画像表示体により表示された画像を覗き見されても画像が視認されにくい覗き見防止性を有しながらも、画像表示体表示面の端部領域に表示された画像の視認性を確保できる。
本発明の視野角制御体の製造方法によれば、上記の効果を有する視野角制御体を容易に製造できる。
本発明の視野角制御画像表示体は、覗き見防止性を有する共に、画像表示体表示面の端部領域に表示された画像の視認性が確保されている。
【図面の簡単な説明】
【００１２】
【図１】本発明の第１実施形態の視野角制御体を示す概略断面図である。
【図２】第１実施形態の視野角制御体の製造方法を説明する模式図である。
【図３】本発明の第２実施形態の視野角制御体を示す概略断面図である。
【図４】第２実施形態の視野角制御体の製造方法を説明する模式図である。
【図５】本発明の第３実施形態の視野角制御体を示す概略断面図である。
【発明を実施するための形態】
【００１３】
＜第１実施形態＞
本発明の第１実施形態の視野角制御体について説明する。
図１に、本実施形態の視野角制御体を示す。本実施形態の視野角制御体１は、長方形のシート状であり、複数の光透過帯１１と複数の遮光帯１２とが交互に設けられているルーバー層１０と、ルーバー層１０の一方の面の全体に設けられた第１透明保護層２０と、ルーバー層１０の他方の面の全面に設けられた第２透明保護層３０とを備える。前記視野角制御体１は、画像表示体の画像表示面に設けられ、覗き見防止体として好適に使用される。
視野角制御体１においては、第２透明保護層３０が光入射側、すなわち画像表示体側に配置され、第１透明保護層２０が光出射側に配置される。
本実施形態では、長方形の視野角制御体１の長手方向をＸ方向（図１においては紙面の左右方向）、視野角制御体１の短手方向（図１においては紙面の垂直方向）をＹ方向、視野角制御体１の表面の垂直方向（すなわち視野角制御体１の厚さ方向）をＺ方向とする。
なお、本実施形態における長方形は、外形の概略形状が、Ｚ方向から視野角制御体１を見たときに（平面視で）、長方形になっていればよい。例えば、長方形の直角の角の少なくとも１つが隅切り加工されてもよい。また、長方形の周縁のいずれかの部分に切り欠きが形成されてもよいし、長方形の辺から部分的に突出する突出部が形成されてもよい。また、長方形の辺が部分的に非直線状（例えば、曲線状、ジグザグ状等）になっていてもよい。
【００１４】
視野角制御体１の全体における光透過率は４５％以上であることが好ましく、５５％以上であることがより好ましい。前記光透過率の上限は高い方が好ましいが、充分な覗き見防止性を確保するためには８０％程度が限界である。具体的には、４５％以上８０％以下が好ましく、５５％以上８０％以下がより好ましい。
本明細書における光透過率の値は、光源としてＪＩＳ  Ｚ  ８７２０に規定されるＤ６５を用い、光源から出射された検査光の強度を受光センサーで測定する装置において、前記検査光の光路上に被測定物が無い状態での受光センサーの出力値をＡ、検査光の光路上に被測定物をセットし、被測定物を透過した透過光が受光センサーで受光される状態での出力値をＢとするとき、光透過率＝（Ｂ／Ａ）×１００（単位；％）で求められる値とする。
【００１５】
本実施形態の視野角制御体１においては、視野角制御体１の長手方向の一方の端部を含む第１端部領域１ａと、視野角制御体１の長手方向の他方の端部を含む第２端部領域１ｂと、第１端部領域１ａ及び第２端部領域１ｂの間に形成された中央領域１ｃとを有する。
後述するように、第１端部領域１ａ及び第２端部領域１ｂと、中央領域１ｃとでは、複数の光透過帯１１の幅の平均値が異なっている。本実施形態にて示されるように、第１端部領域１ａ、第２端部領域１ｂ及び中央領域１ｃは、各々、平面視で四角形であることが好ましい。
中央領域１ｃの幅Ｗｃは、視野角制御体１の使用対象物に応じて異なるが、多くの使用対象物においては、視野角制御体１の長手方向の全長に対して、２０％以上８０％以下であることが好ましく、３０％以上６０％以下であることがより好ましい。中央領域１ｃの幅Ｗｃが前記範囲にあれば、本実施形態の視野角制御体１が覗き見防止体として好適なものとなると共に、画像表示体表示面の端部領域に表示された画像の視認性をより高めることができる。
第１端部領域１ａの幅Ｗａ及び第２端部領域１ｂの幅Ｗｂは、視野角制御体１の長手方向の全長に対して、１０％以上４０％以下であることが好ましく、２０％以上３５％以下であることがより好ましい。
第１端部領域１ａの幅Ｗａと第２端部領域１ｂの幅Ｗｂとは同一でも異なってもよいが、通常は、同一である。第１端部領域１ａ及び第２端部領域１ｂの幅Ｗａ，Ｗｂが同一である場合、視野角制御体１の長手方向の全長に対する第１端部領域１ａ又は第２端部領域１ｂの幅の割合（％）は、（１００−中央領域１ｃの幅Ｗｃの割合（％））／２の式より求められる。
ここでいう、各領域の幅Ｗａ，Ｗｂ，Ｗｃとは、視野角制御体１の長手方向における各領域の長さのことである。
【００１６】
視野角制御体１の長手方向の長さは制限されず、例えば、１２０ｍｍ以上１５００ｍｍ以下とされる。本発明の視野角制御体の効果は、表示面が大きい画像表示体に対して特に有用である。そのため、視野角制御体１は、その長手方向の長さが、例えば、２５０ｍｍ以上のものが有用であり、３００ｍｍ以上のものが特に有用である。実用上、視野角制御体１の長手方向の長さは、６００ｍｍ以下であることが好ましく、５００ｍｍ以下であることがより好ましい。具体的には、視野角制御体１の長手方向の長さは、２５０ｍｍ以上６００ｍｍ以下が好ましく、３００ｍｍ以上５００ｍｍ以下であることがより好ましい。視野角制御体１の短手方向の長さは、５０ｍｍ以上であることが好ましく、１５０ｍｍ以上であることがより好ましく、１７５ｍｍ以上であることがさらに好ましい。一方、実用上、視野角制御体１の短手方向の長さは、１０００ｍｍ以下であることが好ましく、５００ｍｍ以下であることがより好ましく、３００ｍｍ以下であることがさらに好ましい。具体的には、視野角制御体１の短手方向の長さは、５０ｍｍ以上１０００ｍｍ以下が好ましく、１５０ｍｍ以上５００ｍｍ以下がより好ましく、１７５ｍｍ以上３００ｍｍ以下がさらに好ましい。
【００１７】
（ルーバー層）
ルーバー層１０は、直線状の光透過帯１１と、直線状の遮光帯１２とを各々複数含み、光透過帯１１と遮光帯１２とが交互に繰り返し配置されている。本実施形態においては、光透過帯１１及び遮光帯１２がＹ方向に沿って形成されている。なお、図１は、本実施形態の視野角制御体の概略図であり、光透過帯１１及び遮光帯１２の数を少なく記載している。
本発明では、第１端部領域１ａに設けられた複数の光透過帯１１の幅の平均値が、中央領域１ｃに設けられた複数の光透過帯の幅の平均値よりも広くされていると共に、第２端部領域１ｂに設けられた複数の光透過帯１１の幅の平均値が、中央領域１ｃに設けられた複数の光透過帯１１の幅の平均値よりも広くされている。
本実施形態においては、第１端部領域１ａに設けられた複数の光透過帯１１のそれぞれの幅が、中央領域１ｃに設けられた複数の光透過帯のそれぞれの幅よりも広くされていると共に、第２端部領域１ｂに設けられた複数の光透過帯１１のそれぞれの幅が、中央領域１ｃに設けられた複数の光透過帯１１のそれぞれの幅よりも広くされている。
第１端部領域１ａに設けられた複数の光透過帯１１のそれぞれの幅は同一であることが好ましい。第２端部領域１ｂに設けられた複数の光透過帯１１のそれぞれの幅は同一であることが好ましい。中央領域１ｃに設けられた複数の光透過帯１１のそれぞれの幅は同一であることが好ましい。
本実施形態において、複数の光透過帯１１のそれぞれの幅は、各領域内で同一とされている。各領域内で光透過帯１１の幅が同一であれば、視野角制御体１を容易に作製できる。
本実施形態において、第１端部領域１ａ、第２端部領域１ｂ及び中央領域１ｃに設けられている全ての遮光帯１２の幅は同一とされている。
本実施形態において、各光透過帯１１の幅及び各遮光帯１２の長さは共に、同一とされている。
前記「幅」とは、ルーバー層１０の光出射側の面における光透過帯１１又は遮光帯１２のＸ方向の長さのことである。Ｘ方向とは、複数の光透過帯１１と複数の遮光帯１２とが交互に設けられた方向のことである。
前記「各光透過帯１１の幅及び各遮光帯１２の長さ」とは、ルーバー層１０の光出射側の面における光透過帯１１又は遮光帯１２のＹ方向の長さのことである。
上述した光透過帯１１の幅及び遮光帯１２の幅の「同一」は、若干の相違を許容し、幅の設計値±５％以内の範囲も含まれる。
【００１８】
視野角制御体１においては、第１端部領域１ａ、第２端部領域１ｂ及び中央領域１ｃのいずれにおいても、遮光帯１２が設けられていることによって視野角が制御されている。
中央領域１ｃは、第１端部領域１ａ及び第２端部領域１ｂよりも光透過帯１１の幅が狭いため、第１端部領域１ａ及び第２端部領域１ｂよりも視野角が狭くなっている。したがって、中央領域１ｃは、覗き見防止性がより高い領域となっている。
第１端部領域１ａ及び第２端部領域１ｂは、中央領域１ｃよりも光透過帯１１の幅が広いため、視野角が広いものの、視野角が制御されているため、覗き見防止性は確保されている。
【００１９】
中央領域１ｃに設けられた複数の光透過帯１１の幅の平均値は、５０μｍ以上２００μｍ以下であることが好ましく、１００μｍ以上１５０μｍ以下であることがより好ましい。中央領域１ｃに設けられた複数の光透過帯１１の幅の平均値が前記下限値以上であれば、充分な光透過性を確保でき、前記上限値未満であれば、覗き見防止性がより高くなる。
第１端部領域１ａ及び第２端部領域１ｂに設けられた複数の光透過帯１１の幅の平均値は、中央領域１ｃに設けられた複数の光透過帯１１の幅の平均値よりも１μｍ以上３０μｍ以下の範囲で広くされていることが好ましく、５μｍ以上１５μｍ以下の範囲で広くされていることがより好ましい。
第１端部領域１ａ及び第２端部領域１ｂに設けられた複数の光透過帯１１の幅の平均値と中央領域１ｃに設けられた複数の光透過帯１１の幅の平均値との差が前記下限値以上であれば、第１端部領域１ａ及び第２端部領域１ｂにおける画像の視認性がより高くなり、前記上限値以下であれば、互いに隣接する領域間の光透過率の差が小さくなり、視覚的な濃淡の差が小さくなる。
第１端部領域１ａに設けられた複数の光透過帯１１の幅の平均値と第２端部領域１ｂに設けられた複数の光透過帯１１の幅の平均値とは、同一であってもよいし、異なってもよい。
【００２０】
中央領域１ｃに設けられた複数の光透過帯１１のそれぞれの幅は、５０μｍ以上２００μｍ以下であることが好ましく、１００μｍ以上１５０μｍ以下であることがより好ましい。中央領域１ｃに設けられた複数の光透過帯１１のそれぞれの幅が前記下限値以上であれば、充分な光透過性を確保でき、前記上限値未満であれば、覗き見防止性がより高くなる。
第１端部領域１ａ及び第２端部領域１ｂに設けられた複数の光透過帯１１のそれぞれの幅は、中央領域１ｃに設けられた複数の光透過帯１１のそれぞれの幅よりも１μｍ以上３０μｍ以下の範囲で広くされていることが好ましく、５μｍ以上１５μｍ以下の範囲で広くされていることがより好ましい。
第１端部領域１ａ及び第２端部領域１ｂに設けられた複数の光透過帯１１のそれぞれの幅と中央領域１ｃに設けられた複数の光透過帯１１のそれぞれの幅との差が前記下限値以上であれば、第１端部領域１ａ及び第２端部領域１ｂにおける画像の視認性がより高くなり、前記上限値以下であれば、互いに隣接する領域間の光透過率の差が小さくなり、視覚的な濃淡の差が小さくなる。
【００２１】
第１端部領域１ａにおける複数の光透過帯１１の幅の平均値と中央領域１ｃにおける複数の光透過帯１１の幅の平均値との差、及び、第２端部領域１ｂにおける複数の光透過帯１１の幅の平均値と中央領域１ｃにおける複数の光透過帯１１の幅の平均値との差は、視野角の差が、好ましくは１５°以下、より好ましくは０．５°以上１０°以下、さらに好ましくは１°以上５°以下になるように調整されている。視野角が大きくなる程、光透過率が増加するため、前記視野角の差が大きいと、互いに隣接する領域間の光透過率の差が大きくなり、視覚的には濃淡の差が大きく見え、視野角制御体１の見栄えが損なわれる。前記視野角の差が前記上限値以下であれば、互いに隣接する領域間の光透過率の差が小さくなり、視覚的な濃淡の差も小さくなる。
視野角は、まず、光透過帯１１における透過光の最大角度θ１（ルーバー層１０表面の法線に対する最大角度）を、ａｒｃｔａｎ（複数の光透過帯１１の幅の平均値／光透過帯１１の厚さ）の式より求める。光透過帯１１の厚さとは、Ｚ方向の長さのことである。視野角は、光透過帯１１の屈折率ｎ１、第１透明保護層２０の屈折率ｎ２、空気の屈折率ｎ３が影響する。光透過帯１１と第１透明保護層２０との光の屈折は、ｓｉｎθ１／ｓｉｎθ２＝ｎ２／ｎ１で表される（θ２は第１透明保護層２０への光の出射角）。また、第１透明保護層２０と空気との光の屈折は、ｓｉｎθ２／ｓｉｎθ３＝ｎ３／ｎ２で表される（θ３はルーバー層１０表面の法線に対する空気中への光の出射角）。
これらのことから、ｓｉｎθ３＝（（ｎ１×ｓｉｎθ１）／ｎ３）となり、この式にθ１，ｎ１，ｎ３の値を代入し、逆三角関数を利用して、θ３を求める。視野角は、２×θ３で求められる。
【００２２】
複数の遮光帯１２の幅の平均値は１μｍ以上５０μｍ以下の範囲内にあることが好ましく、１０μｍ以上３０μｍ以下の範囲内にあることがより好ましい。
複数の遮光帯１２のそれぞれの幅は１μｍ以上５０μｍ以下の範囲内にあることが好ましく、１０μｍ以上３０μｍ以下の範囲内にあることがより好ましい。
本実施形態におけるルーバー層１０の厚さは一定にされている。ここでいう「厚さ」とは、ルーバー層１０のＺ方向の長さのことである。ルーバー層１０の厚さは、視野角制御体１又はルーバー層１０の単体の断面写真にて計測することで求めることができ、１０か所以上計測して得た値の平均値である。また、厚さにおける「一定」とは、厚さの設計値±５％以内の範囲も含まれる。
ルーバー層１０の厚さは、１００μｍ以上５０００μｍ以下が好ましく、１２０μｍ以上１０００μｍ以下がより好ましく、１５０μｍ以上５００μｍ以下がさらに好ましい。
ルーバー層１０の厚さが前記範囲内であれば、視野角を容易に調整でき、また、容易に作製できる。
なお、本明細書において、「長さ」、「厚さ」、及び「幅」は、任意の１０箇所について長さ、厚さ、又は幅を測定顕微鏡によって測定し、その測定値を平均した値である。
複数の光透過帯１１の幅の平均値は、上記幅の測定方法により複数の光透過帯１１の幅をそれぞれ測定し、得られた値を平均した値である。
複数の遮光帯１２の幅の平均値は、上記幅の測定方法により複数の遮光帯１２の幅をそれぞれ測定し、得られた値を平均した値である。
【００２３】
本実施形態では、第１端部領域１ａ、第２端部領域１ｂ及び中央領域１ｃに設けられた遮光帯１２の設置角が全て同一である。ここでいう設置角とは、視野角制御体１の表面の垂直方向に対する遮光帯１２の角度であって、０°以上９０°未満の範囲の角度である。
また、設置角の「同一」は、設置角の設計値±２°の範囲も含まれる。
遮光帯１２の具体的な設置角は、０°以上３°以下であることが好ましく、０°以上１°以下であることがより好ましい。第１端部領域１ａ、第２端部領域１ｂ及び中央領域１ｃに設けられた遮光帯１２の設置角が前記上限値以下であれば、覗き見防止性がより高くなる。
遮光帯１２の設置角は、視野角制御体１又はルーバー層１０の単体の断面写真において、ルーバー層１０の光出射側の表面を基準とし、遮光帯１２の中心線と前記表面の垂直方向とのなす角として計測できる。
【００２４】
［光透過帯］
光透過帯１１を構成する材料としては、目的の可視光の波長を透過させる樹脂材料が用いられる。光透過帯１１を透過する光の波長は可視光の全範囲３８０ｎｍ以上８３０ｎｍ以下であってもよいし、その一部であってもよい。
光透過帯１１を構成する樹脂材料としては、透明性が高い熱可塑性樹脂又は熱硬化性樹脂が使用され、例えば、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等が挙げられる。これらのなかでもシリコーン樹脂が好ましく、柔軟性、耐熱性及び透明性が高い点でシリコーンゴムがより好ましい。
シリコーンゴムとしては、例えば、分子鎖末端がヒドロキシシリル基又はビニルシリル基で封鎖されたジオルガノポリシロキサンと有機過酸化物とからなる、一般にミラブルゴムと呼ばれるシリコーンゴム組成物；分子中にケイ素原子に結合したビニル基を少なくとも２個有するジオルガノポリシロキサンに、分子中にケイ素原子に結合した水素原子（すなわち、ＳｉＨ結合）を少なくとも３個有するオルガノハイドロジェンポリシロキサンと白金系触媒を配合した、いわゆる付加反応型のオルガノシリコーンゴム組成物等が挙げられる。
光透過帯１１は、Ｚ方向に沿って光透過帯１１のみに対して光を入射させたときの光透過率が７５％以上であることが好ましく、８５％以上であることがより好ましい。具体的には、７５％以上１００％以下が好ましく、８５％以上１００％以下がより好ましい。
【００２５】
［遮光帯］
遮光帯１２を構成する材料としては、光透過帯１１を構成する樹脂材料を基材とし、これに顔料や染料等の着色剤を添加した着色樹脂が使用される。
遮光帯１２に含まれる樹脂材料は、光透過帯１１に含まれる樹脂材料と同等のものを使用することができる。遮光帯１２に含まれる樹脂材料は、光透過帯１１に含まれる樹脂材料と同一のものであってもよいし、異なるものであってもよい。光透過帯１１と遮光帯１２との接着性が高くなる点からは、遮光帯１２に含まれる樹脂材料は、光透過帯１１に含まれる樹脂材料と同一であることが好ましい。
【００２６】
遮光帯１２の色調は、遮光帯１２において好ましい遮光性が得られればよく、例えば黒、赤、黄、緑、青、水色等とすることができる。遮光帯１２の色調は、着色剤の種類及び添加量によって調整できる。
遮光帯１２の色調は、ルーバー層１０を見たときに認識される色調を構成するため、視野角制御体１の意匠性も考慮して設計することが好ましい。
遮光帯１２は、Ｘ方向に沿って遮光帯１２のみに対して光を入射させたときの光透過率が４０％以下であることが好ましく、１０％以下であることがより好ましい。具体的には、０％以上４０％以下が好ましく、０％以上１０％以下がより好ましい。このような光透過率であれば、充分な遮光性を有する。
【００２７】
遮光帯１２に含まれる着色剤の具体例としては、カーボンブラック、酸化鉄、酸化チタン、黄色酸化鉄、ジスアゾイエロー、フタロシアニンブルー等の一般的な有機顔料あるいは無機顔料が挙げられる。着色剤は１種を単独で使用してもよいし、２種以上を併用してもよい。
着色剤として黒色顔料を用いない場合には、遮光性を確保するために白色顔料を併用することが好ましい。
【００２８】
（第１透明保護層、第２透明保護層）
第１透明保護層２０及び第２透明保護層３０は、透明樹脂材料から構成された層であり、ルーバー層１０の光出射側の面に設けられてルーバー層１０の保護層として機能する。
第１透明保護層２０及び第２透明保護層３０は、Ｚ方向に沿って光を入射させたときの光透過率が７５％以上であることが好ましく、８５％以上であることがより好ましい。具体的には、７５％以上１００％以下が好ましく、８５％以上１００％以下がより好ましい。
第１透明保護層２０及び第２透明保護層３０を構成する透明樹脂材料としては、例えば、ポリカーボネート樹脂、ポリエステル系樹脂、アクリル樹脂、ポリオレフィン系樹脂（特に、シクロオレフィンポリマー）、セルロース系樹脂等が挙げられる。これら透明樹脂材料のなかでも、透明性及び耐熱性が高いことから、ポリカーボネート又はポリエステル樹脂が好ましい。
透明樹脂材料は１種を単独で使用してもよいし、２種以上を併用してもよい。
第１透明保護層２０及び第２透明保護層３０の厚さは、０．０１ｍｍ以上０．５ｍｍ以下であることが好ましく、０．１ｍｍ以上０．２ｍｍ以下であることがより好ましい。第１透明保護層２０及び第２透明保護層３０の厚さが前記下限値以上であれば、ルーバー層１０を充分に保護でき、前記上限値以下であれば、充分な光透過率を確保できる。
第１透明保護層２０と第２透明保護層３０とは同一のものであってもよいし、異なるものであってもよい。
【００２９】
（視野角制御体の製造方法）
本実施形態の視野角制御体１は、ルーバー層形成工程と第１透明保護層積層工程と第２透明保護層積層工程とを有する方法により製造することができる。さらに、ルーバー層形成工程は、積層体形成工程とブロック体形成工程と切断工程とを有する。
【００３０】
［積層体形成工程］
積層体形成工程は、複数の光透過帯用シートと複数の遮光帯用シートとをそれぞれ交互に積層して積層体を形成する工程である。
本実施形態における積層体形成工程では、３つの積層ユニットを有する積層体を形成する。すなわち、本実施形態における積層体形成工程は、第１積層ユニット形成工程と第２積層ユニット形成工程と第３積層ユニット形成工程とを有する。
第１積層ユニット形成工程は、複数の第１光透過帯用シートと複数の第１遮光帯用シートとを交互に積層して第１積層ユニットを形成する工程である。
第２積層ユニット形成工程は、第１光透過帯用シートより薄い複数の第２光透過帯用シートと複数の第２遮光帯用シートとを交互に積層して第２積層ユニットを形成する工程である。
第３積層ユニット形成工程は、第２光透過帯用シートより厚い複数の第３光透過帯用シートと複数の第３遮光帯用シートとを交互に積層して第３積層ユニットを形成する工程である。
本実施形態における積層体形成工程では、第１積層ユニットと第３積層ユニットとの間に第２積層ユニットを配置する。
第１積層ユニットは上記第１端部領域１ａになり、第２積層ユニットは上記中央領域１ｃになり、第３積層ユニットは上記第２端部領域１ｂになる。
【００３１】
前記積層体形成工程の具体的な方法としては、以下の方法が挙げられる。
まず、あらかじめ第１積層ユニット、第２積層ユニット及び第３積層ユニットを個別に作製する。すなわち、複数の第１光透過帯用シートと複数の第１遮光帯用シートとを交互に積層して第１積層ユニットを形成する。複数の第２光透過帯用シートと複数の第２遮光帯用シートとを交互に積層して第２積層ユニットを形成する。複数の第３光透過帯用シートと複数の第３遮光帯用シートとを交互に積層して第３積層ユニットを形成する。その際、光透過帯用シートと遮光帯用シートとを接着剤を用いて接着してもよい。
次いで、第２積層ユニットの一方の面に第１積層ユニットを積層し、第２積層ユニットの他方の面に第３積層ユニットを積層して、積層体を形成する。積層ユニット同士を積層する際には接着剤を使用してもよい。
【００３２】
前記積層体形成工程の他の具体的な方法としては、以下の方法が挙げられる。
すなわち、まず、複数の第１光透過帯用シートと複数の第１遮光帯用シートとを交互に積層して第１積層ユニットを形成する。次いで、第１積層ユニットの一方の面にて、複数の第２光透過帯用シートと複数の第２遮光帯用シートとを交互に積層して第２積層ユニットを形成する。次いで、第２積層ユニットの他方の面にて、複数の第３光透過帯用シートと複数の第２遮光帯用シートとを交互に積層して第３積層ユニットを形成して、積層体を形成する。
【００３３】
前記積層体形成工程では、複数の第２光透過帯用シートの厚さの平均値を５０μｍ以上２００μｍ未満の範囲内にすることが好ましく、１００μｍ以上１５０μｍ以下の範囲内にすることがより好ましい。複数の第２光透過帯用シートの厚さの平均値を前記下限値以上にすれば、中央領域１ｃにおける光透過性を充分に確保でき、前記上限値未満にすれば、覗き見防止性がより高くなる。
本明細書において、複数のシートの厚さの平均値は、上述した厚さの測定方法により複数のシートの厚さをそれぞれ測定し、得られた値を平均した値である。
第２光透過帯用シートの厚さは上記中央領域１ｃにおける光透過帯１１の幅に対応する。
複数の第１光透過帯用シートの厚さの平均値及び複数の第３光透過帯用シートの厚さの平均値は、前記複数の第２光透過帯用シートの厚さの平均値よりも１μｍ以上３０μｍ以下の範囲で厚いことが好ましく、５μｍ以上１５μｍ以下の範囲で厚いことがより好ましい。複数の第１光透過帯用シートの厚さの平均値及び複数の第３光透過帯用シートの厚さの平均値と複数の第２光透過帯用シートの厚さの平均値との差を前記下限値以上にすれば、第１端部領域１ａ及び第２端部領域１ｂにおける画像の視認性がより高くなり、前記上限値以下にすれば、互いに隣接する領域間の光透過率の差が小さくなり、視覚的な濃淡の差が小さくなる。複数の第１光透過帯用シートの厚さの平均値と複数の第３光透過帯用シートの厚さの平均値とは同一でもよいし、異なってもよい。第１光透過帯用シートの厚さは上記第１端部領域１ａにおける光透過帯１１の幅に対応し、第３光透過帯用シートの厚さは上記第２端部領域１ｂにおける光透過帯１１の幅に対応する。
【００３４】
前記積層体形成工程では、複数の第２光透過帯用シートのそれぞれの厚さを５０μｍ以上２００μｍ未満の範囲内にすることが好ましく、１００μｍ以上１５０μｍ以下の範囲内にすることがより好ましい。複数の第２光透過帯用シートのそれぞれの厚さを前記下限値以上にすれば、中央領域１ｃにおける光透過性を充分に確保でき、前記上限値未満にすれば、覗き見防止性がより高くなる。
第２光透過帯用シートの厚さは上記中央領域１ｃにおける光透過帯１１の幅に対応する。
複数の第１光透過帯用シートのそれぞれの厚さ及び複数の第３光透過帯用シートのそれぞれの厚さは、前記複数の第２光透過帯用シートのそれぞれの厚さよりも１μｍ以上３０μｍ以下の範囲で厚いことが好ましく、５μｍ以上１５μｍ以下の範囲で厚いことがより好ましい。複数の第１光透過帯用シートのそれぞれの厚さ及び複数の第３光透過帯用シートのそれぞれの厚さと複数の第２光透過帯用シートのそれぞれの厚さとの差を前記下限値以上にすれば、第１端部領域１ａ及び第２端部領域１ｂにおける画像の視認性がより高くなり、前記上限値以下にすれば、互いに隣接する領域間の光透過率の差が小さくなり、視覚的な濃淡の差が小さくなる。第１光透過帯用シートの厚さは上記第１端部領域１ａにおける光透過帯１１の幅に対応し、第３光透過帯用シートの厚さは上記第２端部領域１ｂにおける光透過帯１１の幅に対応する。
【００３５】
また、複数の第１遮光帯用シートの厚さの平均値を１μｍ以上５０μｍ以下の範囲内にすることが好ましく、１０μｍ以上３０μｍ以下の範囲内にすることがより好ましい。
複数の第１遮光帯用シートのそれぞれの厚さを１μｍ以上５０μｍ以下の範囲内にすることが好ましく、１０μｍ以上３０μｍ以下の範囲内にすることがより好ましい。
【００３６】
光透過帯用シートは、光透過帯１１を構成する樹脂材料をシート状に成形することにより製造することができる。遮光帯用シートは、遮光帯１２を構成する樹脂材料をシート状に成形することにより製造することができる。光透過帯用シート及び遮光帯用シートは、各々、一定厚さになるように成形される。樹脂材料をシート状に成形する成形方法としては、例えば、押出成形、カレンダ成形、プレス成形等を適用することができる。
【００３７】
［ブロック体形成工程］
ブロック体形成工程は、前記積層体を加圧してブロック体を形成する工程である。
積層体の加圧では、例えば、ロール又はプレス機等を使用することができる。加圧の際には、シート同士の接着力を高めるために加熱することが好ましい。加熱温度は、使用する材料に応じて適宜選択される。加熱温度が高すぎると、シートの厚さの均一性が損なわれ、加熱温度が低すぎると、シート同士の接着力が弱くなることがある。
【００３８】
［切断工程］
切断工程は、ブロック体形成工程によって得られたブロック体を切断してルーバー層を得る工程である。本実施形態では、図２に示すように、ルーバー層１０の厚さが一定になるようにブロック体１００を切断する。
切断工程における切断方法としては、例えば、光透過帯用シート１１０（第１光透過帯用シート１１１、第２光透過帯用シート１１２、第３光透過帯用シート１１３）及び遮光帯用シート１２０（第１遮光帯用シート１２１、第２遮光帯用シート１２２、第３遮光帯用シート１２３）が交互に並んだ方向に対して垂直に切断刃を切り込んで、光透過帯用シート１１０及び遮光帯用シート１２０を同時に切断する方法が挙げられる。
また、他の切断方法として、光透過帯用シート１１０のみ又は遮光帯用シート１２０のみが露出したブロック体１００の一表面から垂直に切断刃を切り込み、切断刃又はブロック体を移動させて、光透過帯用シート１１０と遮光帯用シート１２０を交互に切断する方法が挙げられる。
【００３９】
［第１透明保護層積層工程］
第１透明保護層積層工程は、切断工程によって得られたルーバー層の光出射側の面に第１透明保護層を積層する工程である。
第１透明保護層を積層する方法としては、例えば、第１透明保護層を構成する材料をあらかじめシート状に成形し、得られた透明シートを、ルーバー層の一方の面に貼着する方法が挙げられる。透明シートの貼着の際には、接着剤を使用してもよいし、接着剤を使用せずに熱圧着してもよい。
接着剤を使用する場合、接着剤としては、硬化後における光透過率が高いものが好ましい。具体的には、硬化後の接着剤層単体における光透過率が好ましくは６５％以上、より好ましくは８０％以上になるものが使用される。具体的には６５％以上１００％以下が好ましく、８０％以上１００％以下がより好ましい。
このような接着剤としては、例えば、エポキシ系接着剤、ウレタン系接着剤、アクリル系接着剤、メラミン系接着剤、ポリエステル系接着剤、シリコーン系接着剤等が挙げられる。また、接着剤は、熱硬化型接着剤、多液反応型接着剤、紫外線硬化型接着剤等のいずれであってもよい。
【００４０】
［第２透明保護層積層工程］
第２透明保護層積層工程は、切断工程によって得られたルーバー層の光入射側の面に第２透明保護層を積層する工程である。
第２透明保護層をルーバー層に積層する方法は、第１透明保護層をルーバー層に積層する方法と同様である。
【００４１】
（視野角制御画像表示体）
本実施形態の視野角制御画像表示体は、画像表示体と、前記画像表示体の画像表示面に設けられた上記視野角制御体とを備える。視野角制御体の大きさ及び形状は、画像表示体の表示面に対応する大きさ及び形状とすることが好ましい。
画像表示体としては、液晶表示装置又は有機エレクトロルミネッセンス表示装置等の、映像信号を表示する画像表示装置が挙げられる。通常、画像表示装置の表示面（画面）は、使用者に対して左右方向が長手方向となる長方形である。そのため、長方形である本実施形態の視野角制御体は、その長手方向が画像表示装置の表示面の長手方向に沿うように配置される。
画像表示体は、紙又はプラスチックシートに印刷された印刷物であってもよい。印刷物の形状は特に制限されないが、本実施形態の視野角制御体は、長方形の印刷物の場合に適している。
画像表示体の表示面が長方形である場合、その長手方向の長さが２５０ｍｍ以上のものが有用であり、３００ｍｍ以上のものが特に有用である。実用上、画像表示体の表示面の長手方向の長さは、６００ｍｍ以下であることが好ましく、５００ｍｍ以下であることがより好ましい。具体的には、画像表示体の表示面の長手方向の長さは、２５０ｍｍ以上６００ｍｍ以下が好ましく、３００ｍｍ以上５００ｍｍ以下がより好ましい。画像表示体の表示面の短手方向の長さは、５０ｍｍ以上であることが好ましく、１５０ｍｍ以上であることがより好ましく、１７５ｍｍ以上であることがさらに好ましい。一方、実用上、画像表示体の表示面の短手方向の長さは、１０００ｍｍ以下であることが好ましく、５００ｍｍ以下であることがより好ましく、３００ｍｍ以下であることがさらに好ましい。具体的には、画像表示体の表示面の短手方向の長さは、５０ｍｍ以上１０００ｍｍ以下が好ましく、１５０ｍｍ以上５００ｍｍ以下がより好ましく、１７５ｍｍ以上３００ｍｍ以下がさらに好ましい。
【００４２】
本実施形態の視野角制御体は、特に、タッチセンサ付きの画像表示装置を備えた情報入出力機器に好適に使用される。情報入出力機器においては、秘匿情報を表示及び入力することが多く、覗き見防止が求められることが多いためである。
本実施形態の視野角制御体の中央領域は、視野角が狭くなるように制御されており、覗き見防止性が特に高い領域である。そのため、視野角制御体の中央領域は、秘匿情報が表示される領域に重ねられることが好ましい。
秘匿情報が表示される領域の幅は、画像表示体の幅方向の長さに対して、２０％以上８０％以下であることが好ましく、３０％以上６０％以下であることがより好ましい。
秘匿情報が表示される領域の幅は、視野角制御体の中央領域の幅に対して、１０％以上１００％以下であることが好ましく、１０％以上９０％以下であることがより好ましい。
情報入出力機器においては、通常、秘匿情報は、画像表示体の表示面の中央付近に表示されることが多い。そのため、本実施形態の視野角制御体を画像表示体の表示面に設けた際には、秘匿情報の表示に視野角制御体の中央領域を容易に重ねることができ、秘匿情報の覗き見を防止することができる。
従来の視野角制御体を画像表示体表示面に設けた場合には、中央領域の正面に位置する使用者に対し、表示面の長手方向の端部領域に表示された画像が、ルーバー層による視野角制御の視野角範囲内に入らないことがある。そのため、中央領域の正面に位置する使用者にとっては、表示面の端部領域に表示された画像を視認しにくい。しかし、本実施形態の視野角制御体では、第１端部領域及び第２端部領域の複数の光透過帯の幅の平均値が中央領域の複数の光透過帯の幅の平均値よりも広く、第１端部領域及び第２端部領域における視野角が広くなっている。そのため、中央領域の正面に位置する使用者が、表示面の端部領域に表示された画像を見た際、その画像は視野角制御による視野角範囲内に入るため、容易に視認できる。しかも、第１端部領域及び第２端部領域においても視野角が狭くなるように制御されているから、覗き見防止性は確保されている。
【００４３】
＜第２実施形態＞
本発明の第２実施形態の視野角制御体について説明する。
図３に、本実施形態の視野角制御体を示す。本実施形態の視野角制御体２は、ルーバー層の形態が異なること以外は第１実施形態と同様である。
すなわち、本実施形態において使用されるルーバー層４０は、第１端部領域２ａ、第２端部領域２ｂ及び中央領域２ｃに加え、第１端部領域２ａと中央領域２ｃとの間に第１中間領域２ｄを有すると共に第２端部領域２ｂと中央領域２ｃとの間に第２中間領域２ｅを有する。第１中間領域２ｄに設けられた複数の光透過帯１１の幅の平均値は、第１端部領域２ａに設けられた複数の光透過帯１１の幅の平均値よりも狭く且つ中央領域２ｃに設けられた複数の光透過帯１１の幅の平均値よりも広くされている。第２中間領域２ｅに設けられた複数の光透過帯１１の幅の平均値は、第２端部領域２ｂに設けられた複数の光透過帯１１の幅の平均値よりも狭く且つ中央領域２ｃに設けられた複数の光透過帯１１の幅の平均値よりも広くされている。
本実施形態において、第１端部領域２ａに設けられた複数の光透過帯１１のそれぞれの幅、第２端部領域２ｂに設けられた複数の光透過帯１１のそれぞれの幅、中央領域２ｃに設けられた複数の光透過帯１１のそれぞれの幅、第１中間領域２ｄに設けられた複数の光透過帯１１のそれぞれの幅、第２中間領域２ｅに設けられた複数の光透過帯１１のそれぞれの幅は、各々、各領域内で一定とされている。第１端部領域２ａ及び第２端部領域２ｂに設けられた複数の光透過帯１１のそれぞれの幅が、中央領域２ｃに設けられた複数の光透過帯１１のそれぞれの幅よりも広いことは第１実施形態におけるルーバー層１０と同様である。
本実施形態におけるルーバー層４０において、その厚さ、光透過帯１１を構成する材料、遮光帯１２の幅、遮光帯１２を構成する材料についても、第１実施形態におけるルーバー層１０と同様である。
【００４４】
中央領域２ｃの幅Ｗｃは、視野角制御体２の使用対象物に応じて異なるが、多くの使用対象物においては、視野角制御体２の長手方向の全長に対して、２０％以上８０％以下であることが好ましく、３０％以上６０％以下であることがより好ましい。中央領域２ｃの幅Ｗｃが前記範囲にあれば、本実施形態の視野角制御体２が覗き見防止体として好適なものとなると共に、画像表示体表示面の端部領域に表示された画像の視認性をより高めることができる。
第１中間領域２ｄの幅Ｗｄ及び第２中間領域２ｅの幅Ｗｅは、視野角制御体２の使用対象物に応じて異なるが、多くの使用対象物においては、視野角制御体２の長手方向の全長に対して、５％以上２０％以下であることが好ましく、１０％以上１７．５％以下であることがより好ましい。第１中間領域２ｄの幅Ｗｄ及び第２中間領域２ｅの幅Ｗｅが前記下限値以上であれば、隣接する領域間の光透過率の差を小さくでき、視覚的な濃淡の差を小さくできる。第１中間領域２ｄの幅Ｗｄ及び第２中間領域２ｅの幅Ｗｅが前記上限値以下であれば、覗き見防止性と端部領域に表示された画像の視認性を充分に確保できる。
第１端部領域２ａの幅Ｗａ及び第２端部領域２ｂの幅Ｗｂは、視野角制御体２の長手方向の全長に対して、５％以上２０％以下であることが好ましく、１０％以上１７．５％以下であることがより好ましい。
第１端部領域２ａの幅Ｗａと第２端部領域２ｂの幅Ｗｂとは同一でも異なってもよいが、通常は、同一である。第１中間領域２ｄの幅Ｗｄと第２中間領域２ｅの幅Ｗｅとは同一でも異なってもよいが、通常は、同一である。
第１端部領域２ａ及び第２端部領域２ｂの幅Ｗａ，Ｗｂが同一である場合、視野角制御体２の長手方向の全長に対する第１端部領域２ａ又は第２端部領域２ｂの幅の割合（％）は、（１００−中央領域２ｃの幅Ｗｃの割合（％）−第１中間領域２ｄの幅Ｗｄの割合（％）−第２中間領域２ｅの幅Ｗｅの割合（％））／２の式より求められる。
ここでいう、各領域の幅Ｗａ，Ｗｂ，Ｗｃ，Ｗｄ，Ｗｅとは、視野角制御体２の長手方向における各領域の長さのことである。
【００４５】
中央領域２ｃに設けられた複数の光透過帯１１の幅の平均値は、５０μｍ以上２００μｍ以下であることが好ましく、１００μｍ以上１５０μｍ以下であることがより好ましい。中央領域２ｃに設けられた複数の光透過帯１１の幅の平均値が前記下限値以上であれば、充分な光透過性を確保でき、前記上限値未満であれば、覗き見防止性がより高くなる。
第１中間領域２ｄに設けられた複数の光透過帯１１の幅の平均値は、中央領域２ｃに設けられた複数の光透過帯１１の幅の平均値よりも１μｍ以上３０μｍ以下の範囲で広くされていることが好ましく、５μｍ以上１５μｍ以下の範囲で広くされていることがより好ましい。第１中間領域２ｄに設けられた複数の光透過帯１１の幅の平均値と中央領域２ｃに設けられた複数の光透過帯１１の幅の平均値との差が前記下限値以上であれば、第１中間領域２ｄにおける画像の視認性がより高くなり、前記上限値以下であれば、互いに隣接する領域間の光透過率の差が小さくなり、視覚的な濃淡の差が小さくなる。
第１端部領域２ａに設けられた複数の光透過帯１１の幅の平均値は、第１中間領域２ｄに設けられた複数の光透過帯１１の幅の平均値よりも１μｍ以上３０μｍ以下の範囲で広くされていることが好ましく、５μｍ以上１５μｍ以下の範囲で広くされていることがより好ましい。第１端部領域２ａに設けられた複数の光透過帯１１の幅の平均値と第１中間領域２ｄに設けられた複数の光透過帯１１の幅の平均値との差が前記下限値以上であれば、第１端部領域２ａにおける画像の視認性がより高くなり、前記上限値以下であれば、互いに隣接する領域間の光透過率の差が小さくなり、視覚的な濃淡の差が小さくなる。
第２中間領域２ｅに設けられた複数の光透過帯１１の幅の平均値は、中央領域２ｃに設けられた複数の光透過帯１１の幅の平均値よりも１μｍ以上３０μｍ以下の範囲で広くされていることが好ましく、５μｍ以上１５μｍ以下の範囲で広くされていることがより好ましい。第２中間領域２ｅに設けられた複数の光透過帯１１の幅の平均値と中央領域２ｃに設けられた複数の光透過帯１１の幅の平均値との差が前記下限値以上であれば、第２中間領域２ｅにおける画像の視認性がより高くなり、前記上限値以下であれば、互いに隣接する領域間の光透過率の差が小さくなり、視覚的な濃淡の差が小さくなる。
第２端部領域２ｂに設けられた複数の光透過帯１１の幅の平均値は、第２中間領域２ｅに設けられた複数の光透過帯１１の幅の平均値よりも１μｍ以上３０μｍ以下の範囲で広くされていることが好ましく、５μｍ以上１５μｍ以下の範囲で広くされていることがより好ましい。第２端部領域２ｂに設けられた複数の光透過帯１１の幅の平均値と第２中間領域２ｅに設けられた複数の光透過帯１１の幅の平均値との差が前記下限値以上であれば、第２端部領域２ｂにおける画像の視認性がより高くなり、前記上限値以下であれば、互いに隣接する領域間の光透過率の差が小さくなり、視覚的な濃淡の差が小さくなる。
【００４６】
中央領域２ｃに設けられた複数の光透過帯１１のそれぞれの幅は、５０μｍ以上２００μｍ以下であることが好ましく、１００μｍ以上１５０μｍ以下であることがより好ましい。中央領域２ｃに設けられた複数の光透過帯１１のそれぞれの幅が前記下限値以上であれば、充分な光透過性を確保でき、前記上限値未満であれば、覗き見防止性がより高くなる。
第１中間領域２ｄに設けられた複数の光透過帯１１のそれぞれの幅は、中央領域２ｃに設けられた複数の光透過帯１１のそれぞれの幅よりも１μｍ以上３０μｍ以下の範囲で広くされていることが好ましく、５μｍ以上１５μｍ以下の範囲で広くされていることがより好ましい。第１中間領域２ｄに設けられた複数の光透過帯１１のそれぞれの幅と中央領域２ｃに設けられた複数の光透過帯１１のそれぞれの幅との差が前記下限値以上であれば、第１中間領域２ｄにおける画像の視認性がより高くなり、前記上限値以下であれば、互いに隣接する領域間の光透過率の差が小さくなり、視覚的な濃淡の差が小さくなる。
第１端部領域２ａに設けられた複数の光透過帯１１のそれぞれの幅は、第１中間領域２ｄに設けられた複数の光透過帯１１のそれぞれの幅よりも１μｍ以上３０μｍ以下の範囲で広くされていることが好ましく、５μｍ以上１５μｍ以下の範囲で広くされていることがより好ましい。第１端部領域２ａに設けられた複数の光透過帯１１のそれぞれの幅と第１中間領域２ｄに設けられた複数の光透過帯１１のそれぞれの幅との差が前記下限値以上であれば、第１端部領域２ａにおける画像の視認性がより高くなり、前記上限値以下であれば、互いに隣接する領域間の光透過率の差が小さくなり、視覚的な濃淡の差が小さくなる。
第２中間領域２ｅに設けられた複数の光透過帯１１のそれぞれの幅は、中央領域２ｃに設けられた複数の光透過帯１１のそれぞれの幅よりも１μｍ以上３０μｍ以下の範囲で広くされていることが好ましく、５μｍ以上１５μｍ以下の範囲で広くされていることがより好ましい。第２中間領域２ｅに設けられた複数の光透過帯１１のそれぞれの幅と中央領域２ｃに設けられた複数の光透過帯１１のそれぞれの幅との差が前記下限値以上であれば、第２中間領域２ｅにおける画像の視認性がより高くなり、前記上限値以下であれば、互いに隣接する領域間の光透過率の差が小さくなり、視覚的な濃淡の差が小さくなる。
第２端部領域２ｂに設けられた複数の光透過帯１１のそれぞれの幅は、第２中間領域２ｅに設けられた複数の光透過帯１１のそれぞれの幅よりも１μｍ以上３０μｍ以下の範囲で広くされていることが好ましく、５μｍ以上１５μｍ以下の範囲で広くされていることがより好ましい。第２端部領域２ｂに設けられた複数の光透過帯１１のそれぞれの幅と第２中間領域２ｅに設けられた複数の光透過帯１１のそれぞれの幅との差が前記下限値以上であれば、第２端部領域２ｂにおける画像の視認性がより高くなり、前記上限値以下であれば、互いに隣接する領域間の光透過率の差が小さくなり、視覚的な濃淡の差が小さくなる。
【００４７】
第１端部領域２ａにおける複数の光透過帯１１の幅の平均値と第１中間領域２ｄにおける複数の光透過帯１１の幅の平均値の差、第１中間領域２ｄにおける複数の光透過帯１１の幅の平均値と中央領域２ｃにおける複数の光透過帯１１の幅の平均値との差、第２端部領域２ｂにおける複数の光透過帯１１の幅の平均値と第２中間領域２ｅにおける複数の光透過帯１１の幅の平均値との差、第２中間領域２ｅにおける複数の光透過帯１１の幅の平均値と中央領域２ｃにおける複数の光透過帯１１の幅の平均値との差は、視野角の差が、好ましくは１５°以下、より好ましくは０．５°以上１０°以下、さらに好ましくは１°以上５°以下になるように調整されている。視野角が大きくなる程、光透過率が増加するため、前記視野角の差が大きいと、互いに隣接する領域間の光透過率の差が大きくなり、視覚的には濃淡の差が大きく見え、視野角制御体２の見栄えが損なわれる。前記視野角の差が前記上限値以下であれば、互いに隣接する領域間の光透過率の差が小さくなり、視覚的な濃淡の差も小さくなる。
【００４８】
本実施形態では、第１端部領域２ａ、第２端部領域２ｂ、中央領域２ｃ、第１中間領域２ｄ及び第２中間領域２ｅに設けられた遮光帯１２の設置角が全て同一である。ここでいう設置角の「同一」は、設置角の設計値±２°の範囲も含む。
遮光帯１２の具体的な設置角は０°以上３°以下であることが好ましく、０°以上１°以下であることがより好ましい。第１端部領域２ａ、第２端部領域２ｂ、中央領域２ｃ、第１中間領域２ｄ及び第２中間領域２ｅに設けられた遮光帯１２の設置角が前記上限値以下であれば、覗き見防止性がより高くなる。
【００４９】
本実施形態の視野角制御体２を製造する製造方法について説明する。
本実施形態の視野角制御体２の製造方法は、積層体形成工程及び切断工程が異なること以外は第１実施形態と同様である。
【００５０】
積層体形成工程は、複数の光透過帯用シートと複数の遮光帯用シートとを交互に積層して積層体を形成する工程であって、５つの積層ユニットを有する積層体を形成する。すなわち、本実施形態における積層体形成工程は、第１積層ユニット形成工程と第２積層ユニット形成工程と第３積層ユニット形成工程と第４積層ユニット形成工程と第５積層ユニット形成工程とを有する。
第１積層ユニット形成工程は、複数の第１光透過帯用シートと複数の第１遮光帯用シートとを交互に積層して第１積層ユニットを形成する工程である。
第２積層ユニット形成工程は、第１光透過帯用シートより薄い複数の第２光透過帯用シートと複数の第２遮光帯用シートとを交互に積層して第２積層ユニットを形成する工程である。
第３積層ユニット形成工程は、第２光透過帯用シートより厚い複数の第３光透過帯用シートと複数の第３遮光帯用シートとを交互に積層して第３積層ユニットを形成する工程である。
第４積層ユニット形成工程は、第１光透過帯用シートより薄く且つ第２光透過帯用シートより厚い複数の第４光透過帯用シートと複数の第４遮光帯用シートとを交互に積層して第４積層ユニットを形成する工程である。
第５積層ユニット形成工程は、第３光透過帯用シートより薄く且つ第２光透過帯用シートより厚い複数の第５光透過帯用シートと複数の第５遮光帯用シートとを交互に積層して第５積層ユニットを形成する工程である。
本実施形態における積層体形成工程では、第１積層ユニットと第２積層ユニットとの間に第４積層ユニットを配置し、第２積層ユニットと第３積層ユニットとの間に第５積層ユニットを配置し、第４積層ユニットと第５積層ユニットとの間に第２積層ユニットを配置する。
第１積層ユニットは上記第１端部領域２ａになり、第２積層ユニットは上記中央領域２ｃになり、第３積層ユニットは上記第２端部領域２ｂになり、第４積層ユニットは上記第１中間領域２ｄになり、第５積層ユニットは上記第２中間領域２ｅになる。
【００５１】
前記積層体形成工程の具体的な方法としては、以下の方法が挙げられる。
まず、あらかじめ第１積層ユニット、第２積層ユニット、第３積層ユニット、第４積層ユニット及び第５積層ユニットを個別に作製する。すなわち、複数の第１光透過帯用シートと複数の遮光帯用シートとを交互に積層して第１積層ユニットを形成する。複数の第２光透過帯用シートと複数の第２遮光帯用シートとを交互に積層して第２積層ユニットを形成する。複数の第３光透過帯用シートと複数の第３遮光帯用シートとを交互に積層して第３積層ユニットを形成する。複数の第４光透過帯用シートと複数の第４遮光帯用シートとを交互に積層して第４積層ユニットを形成する。複数の第５光透過帯用シートと複数の第５遮光帯用シートとを交互に積層して第５積層ユニットを形成する。その際、光透過帯用シートと遮光帯用シートとを接着剤を用いて接着してもよい。
次いで、第２積層ユニットの一方の面に第４積層ユニットを積層する。また、第２積層ユニットの他方の面に第５積層ユニットを積層する。また、第２積層ユニットとは反対側の第４積層ユニットの面に第１積層ユニットを積層する。第２積層ユニットとは反対側の第５積層ユニットの面に第３積層ユニットを積層して、積層体を形成する。積層ユニット同士を積層する際には接着剤を使用してもよい。
【００５２】
前記積層体形成工程の他の具体的な方法としては、以下の方法が挙げられる。
すなわち、まず、複数の第１光透過帯用シートと複数の第１遮光帯用シートとを交互に積層して第１積層ユニットを形成する。次いで、第１積層ユニットの一方の面にて、複数の第４光透過帯用シートと複数の第４遮光帯用シートとを交互に積層して第４積層ユニットを形成する。次いで、第１積層ユニットとは反対側の第４積層ユニットの面にて、複数の第２光透過帯用シートと複数の第２遮光帯用シートとを交互に積層して第２積層ユニットを形成する。次いで、第４積層ユニットとは反対側の第２積層ユニットの面にて、複数の第５光透過帯用シートと複数の第５遮光帯用シートとを交互に積層して第５積層ユニットを形成する。次いで、第２積層ユニットとは反対側の第４積層ユニットの面にて、複数の第３光透過帯用シートと複数の第３遮光帯用シートとを交互に積層して第３積層ユニットを形成して、積層体を形成する。
【００５３】
前記積層体形成工程では、複数の第２光透過帯用シートの厚さの平均値を５０μｍ以上２００μｍ未満の範囲内にすることが好ましく、１００μｍ以上１５０μｍ以下の範囲内にすることがより好ましい。複数の第２光透過帯用シートの厚さの平均値を前記下限値以上にすれば、中央領域２ｃにおける光透過性を充分に確保でき、前記上限値未満にすれば、覗き見防止性がより高くなる。
第２光透過帯用シートの厚さは上記中央領域２ｃにおける光透過帯１１の幅に対応する。
複数の第４光透過帯用シートの厚さの平均値は、複数の第２光透過帯用シートの厚さの平均値よりも１μｍ以上３０μｍ以下の範囲で厚いことが好ましく、５μｍ以上１５μｍ以下の範囲で厚いことがより好ましい。複数の第４光透過帯用シートの厚さの平均値と複数の第２光透過帯用シートの厚さの平均値との差を前記下限値以上にすれば、第１中間領域２ｄにおける画像の視認性がより高くなり、前記上限値以下にすれば、互いに隣接する領域間の光透過率の差が小さくなり、視覚的な濃淡の差が小さくなる。第４光透過帯用シートの厚さは上記第１中間領域２ｄにおける光透過帯１１の幅に対応する。
複数の第１光透過帯用シートの厚さの平均値は、複数の第４光透過帯用シートの厚さの平均値よりも１μｍ以上３０μｍ以下の範囲で厚いことが好ましく、５μｍ以上１５μｍ以下の範囲で厚いことがより好ましい。複数の第１光透過帯用シートの厚さの平均値と複数の第４光透過帯用シートの厚さの平均値との差を前記下限値以上にすれば、第１端部領域２ａにおける画像の視認性がより高くなり、前記上限値以下にすれば、互いに隣接する領域間の光透過率の差が小さくなり、視覚的な濃淡の差が小さくなる。第１光透過帯用シートの厚さは上記第１端部領域２ａにおける光透過帯１１の幅に対応する。
複数の第５光透過帯用シートの厚さの平均値は、複数の第２光透過帯用シートの厚さの平均値よりも１μｍ以上３０μｍ以下の範囲で厚いことが好ましく、５μｍ以上１５μｍ以下の範囲で厚いことがより好ましい。複数の第５光透過帯用シートの厚さの平均値と複数の第２光透過帯用シートの厚さの平均値との差を前記下限値以上にすれば、第２中間領域２ｅにおける画像の視認性がより高くなり、前記上限値以下にすれば、互いに隣接する領域間の光透過率の差が小さくなり、視覚的な濃淡の差が小さくなる。第５光透過帯用シートの厚さは上記第２中間領域２ｅにおける光透過帯１１の幅に対応する。
複数の第３光透過帯用シートの厚さの平均値は、複数の第５光透過帯用シートの厚さの平均値よりも１μｍ以上３０μｍ以下の範囲で厚いことが好ましく、５μｍ以上１５μｍ以下の範囲で厚いことがより好ましい。複数の第３光透過帯用シートの厚さの平均値と複数の第５光透過帯用シートの厚さの平均値との差を前記下限値以上にすれば、第２端部領域２ｂにおける画像の視認性がより高くなり、前記上限値以下にすれば、互いに隣接する領域間の光透過率の差が小さくなり、視覚的な濃淡の差が小さくなる。第３光透過帯用シートの厚さは上記第２端部領域２ｂにおける光透過帯１１の幅に対応する。
複数の第１光透過帯用シートの厚さの平均値と複数の第３光透過帯用シートの厚さの平均値とは同一でもよいし、異なってもよいし、複数の第４光透過帯用シートの厚さの平均値と複数の第５光透過帯用シートの厚さの平均値とは同一でもよいし、異なってもよい。
【００５４】
前記積層体形成工程では、複数の第２光透過帯用シートのそれぞれの厚さを５０μｍ以上２００μｍ未満の範囲内にすることが好ましく、１００μｍ以上１５０μｍ以下の範囲内にすることがより好ましい。複数の第２光透過帯用シートのそれぞれの厚さを前記下限値以上にすれば、中央領域２ｃにおける光透過性を充分に確保でき、前記上限値未満にすれば、覗き見防止性がより高くなる。
第２光透過帯用シートの厚さは上記中央領域２ｃにおける光透過帯１１の幅に対応する。
複数の第４光透過帯用シートのそれぞれの厚さは、複数の第２光透過帯用シートのそれぞれの厚さよりも１μｍ以上３０μｍ以下の範囲で厚いことが好ましく、５μｍ以上１５μｍ以下の範囲で厚いことがより好ましい。複数の第４光透過帯用シートのそれぞれの厚さと複数の第２光透過帯用シートのそれぞれの厚さとの差を前記下限値以上にすれば、第１中間領域２ｄにおける画像の視認性がより高くなり、前記上限値以下にすれば、互いに隣接する領域間の光透過率の差が小さくなり、視覚的な濃淡の差が小さくなる。第４光透過帯用シートの厚さは上記第１中間領域２ｄにおける光透過帯１１の幅に対応する。
複数の第１光透過帯用シートのそれぞれの厚さは、複数の第４光透過帯用シートのそれぞれの厚さよりも１μｍ以上３０μｍ以下の範囲で厚いことが好ましく、５μｍ以上１５μｍ以下の範囲で厚いことがより好ましい。複数の第１光透過帯用シートのそれぞれの厚さと複数の第４光透過帯用シートのそれぞれの厚さとの差を前記下限値以上にすれば、第１端部領域２ａにおける画像の視認性がより高くなり、前記上限値以下にすれば、互いに隣接する領域間の光透過率の差が小さくなり、視覚的な濃淡の差が小さくなる。第１光透過帯用シートの厚さは上記第１端部領域２ａにおける光透過帯１１の幅に対応する。
複数の第５光透過帯用シートのそれぞれの厚さは、複数の第２光透過帯用シートのそれぞれの厚さよりも１μｍ以上３０μｍ以下の範囲で厚いことが好ましく、５μｍ以上１５μｍ以下の範囲で厚いことがより好ましい。複数の第５光透過帯用シートのそれぞれの厚さと複数の第２光透過帯用シートのそれぞれの厚さとの差を前記下限値以上にすれば、第２中間領域２ｅにおける画像の視認性がより高くなり、前記上限値以下にすれば、互いに隣接する領域間の光透過率の差が小さくなり、視覚的な濃淡の差が小さくなる。第５光透過帯用シートの厚さは上記第２中間領域２ｅにおける光透過帯１１の幅に対応する。
複数の第３光透過帯用シートのそれぞれの厚さは、複数の第５光透過帯用シートのそれぞれの厚さよりも１μｍ以上３０μｍ以下の範囲で厚いことが好ましく、５μｍ以上１５μｍ以下の範囲で厚いことがより好ましい。複数の第３光透過帯用シートのそれぞれの厚さと複数の第５光透過帯用シートのそれぞれの厚さとの差を前記下限値以上にすれば、第２端部領域２ｂにおける画像の視認性がより高くなり、前記上限値以下にすれば、互いに隣接する領域間の光透過率の差が小さくなり、視覚的な濃淡の差が小さくなる。第３光透過帯用シートの厚さは上記第２端部領域２ｂにおける光透過帯１１の幅に対応する。
【００５５】
本実施形態における切断工程は、図４に示すように、ルーバー層４０の厚さが一定になるようにブロック体１００を切断する。
切断工程における切断方法としては、例えば、光透過帯用シート１１０（第１光透過帯用シート１１１、第２光透過帯用シート１１２、第３光透過帯用シート１１３、第４光透過帯用シート１１４、第５光透過帯用シート１１５）及び遮光帯用シート１２０（第１遮光帯用シート１２１、第２遮光帯用シート１２２、第３遮光帯用シート１２３、第４遮光帯用シート１２４、第５遮光帯用シート１２５）が交互に並んだ方向に対して、垂直に切断刃を切り込んで、光透過帯用シート１１０及び遮光帯用シート１２０を同時に切断する方法が挙げられる。
また、他の切断方法として、光透過帯用シート１１０のみ又は遮光帯用シート１２０のみが露出したブロック体１００の一表面から垂直に切断刃を切り込み、切断刃又はブロック体を移動させて、光透過帯用シート１１０と遮光帯用シート１２０を交互に切断する方法が挙げられる。
上記の切断工程により、光透過帯１１の幅が異なる５つの領域を有するルーバー層４０を形成できる。
【００５６】
本実施形態の視野角制御体の使用形態は第１実施形態と同様である。したがって、本実施形態の視野角制御体を画像表示体の表示面に設けることにより、覗き見防止性を確保できる。また、本実施形態においても、第１端部領域及び第２端部領域の複数の光透過帯の幅の平均値が中央領域の複数の光透過帯の幅の平均値よりも広いため、第１端部領域及び第２端部領域における視野角が広くなっている。そのため、中央領域の正面に位置する使用者が、表示面の端部領域に表示された画像を見た際に、その画像は視野角制御の視野角範囲内に入るため、容易に視認できる。
さらに、本実施形態においては、視野角制御体が中間領域を有することによって、第１実施形態の視野角制御体に比べて、光透過帯の幅を細やかに調整でき、隣接する領域間の視野角の差を小さくできる。
近年、画像表示装置の表示面が大型化する傾向にあり、表示面に視野角制御体を設けた場合には、表示面の端部領域に表示される画像の視認性が低くなる傾向にある。しかし、視野角を細やかに調整でき且つ隣接する領域間の視野角の差を容易に小さくできる本実施形態の視野角制御体を用いれば、大型表示面の画像表示装置に使用しても覗き見防止性と端部領域の視認性とを容易に両立できる。
【００５７】
＜第３実施形態＞
本発明の第３実施形態の視野角制御体について説明する。
図５に、本実施形態の視野角制御体を示す。本実施形態の視野角制御体３は、ルーバー層の形態が異なること以外は第１実施形態と同様である。
本実施形態におけるルーバー層５０においても、第１実施形態と同様に、第１端部領域３ａ、第２端部領域３ｂ及び中央領域３ｃを有する。
また、本実施形態におけるルーバー層５０は、光透過帯１１の幅が、視野角制御体３の長手方向（Ｘ方向）の中央から端部に向うにつれて漸次大きくされている。したがって、第１端部領域３ａ、第２端部領域３ｂ及び中央領域３ｃの各領域内においても、光透過帯１１の幅は同一ではなく、漸次変化している。
【００５８】
本実施形態においても、第１実施形態と同様に、中央領域３ｃの幅Ｗｃは、視野角制御体３の長手方向の全長に対して、２０％以上８０％以下であることが好ましく、３０％以上６０％以下であることがより好ましい。
第１端部領域３ａの幅Ｗａ及び第２端部領域３ｂの幅Ｗｂは、視野角制御体３の長手方向の全長に対して、５％以上２０％以下であることが好ましく、１０％以上１７．５％以下であることがより好ましい。
但し、本実施形態においては、光透過帯１１の幅が漸次変化しており、視覚的には領域の区分が容易ではないため、例えば、中央付近の領域において、視野角制御体３の長手方向の長さの８０％の領域を中央領域３ｃとし、残りの領域のうち、視野角制御体３の長手方向の長さの１０％の領域を第１端部領域３ａとし、視野角制御体３の長手方向の長さの１０％の領域を第２端部領域３ｂとするなど、領域の幅を適宜決定してもよい。
【００５９】
本実施形態においても、第１実施形態と同様に、中央領域３ｃに設けられた複数の光透過帯１１の幅の平均値は、５０μｍ以上２００μｍ以下であることが好ましく、１００μｍ以上１５０μｍ以下であることがより好ましい。第１端部領域３ａ及び第２端部領域３ｂに設けられた複数の光透過帯１１の幅の平均値は、中央領域３ｃに設けられた複数の光透過帯１１の幅の平均値よりも１μｍ以上３０μｍ以下の範囲で広くされていることが好ましく、５μｍ以上１５μｍ以下の範囲で広くされていることがより好ましい。
また、中央領域３ｃに設けられた複数の光透過帯１１のそれぞれ幅は、５０μｍ以上２００μｍ以下であることが好ましく、１００μｍ以上１５０μｍ以下であることがより好ましい。第１端部領域３ａ及び第２端部領域３ｂに設けられた光透過帯１１のそれぞれ幅は、中央領域３ｃに設けられた光透過帯１１のそれぞれの幅よりも１μｍ以上３０μｍ以下の範囲で広くされていることが好ましく、５μｍ以上１５μｍ以下の範囲で広くされていることがより好ましい。
本実施形態においても、第１端部領域３ａにおける複数の光透過帯１１の幅の平均値と中央領域３ｃにおける複数の光透過帯１１の幅の平均値との差、及び、第２端部領域３ｂにおける複数の光透過帯１１の幅の平均値と中央領域３ｃにおける複数の光透過帯１１の幅の平均値との差は、視野角の差が、好ましくは１５°以下、より好ましくは０．５°以上１０°以下、さらに好ましくは１°以上５°以下になるように調整されている。
【００６０】
本実施形態におけるルーバー層５０において、その厚さ、光透過帯１１を構成する材料、遮光帯１２の設置角、遮光帯１２の幅、遮光帯１２を構成する材料については、第１実施形態におけるルーバー層１０と同様である。
【００６１】
本実施形態の視野角制御体３を製造する製造方法について説明する。
本実施形態の視野角制御体３の製造方法は、積層体形成工程が異なること以外は第１実施形態と同様である。
本実施形態の積層体形成工程では、厚さが漸次異なる複数の光透過帯用シートを使用して積層体を形成する。すなわち、本実施形態における積層体形成工程では、複数の光透過帯用シートと複数の遮光帯用シートとを交互に積層して積層体を形成する工程であって、前記積層体の目的厚さの半分の厚さになるまで、遮光帯用シートに積層する光透過帯用シートの厚さを漸次薄くした後、前記積層体の目的厚さになるまで、遮光帯用シートに積層する光透過帯用シートの厚さを漸次厚くする。これにより、光透過帯用シートの厚さが、積層体の中央から端部にむかうにつれて厚くなる積層体を形成する。
具体的には、本実施形態の視野角制御体３の製造方法は、光透過帯用シートａ上に遮光帯用シートａを積層する工程（ａ）、前記遮光帯用シートａ上に前記光透過帯用シートａよりも薄い光透過帯用シートｃを積層し、続いて前記光透過帯用シートｃ上に遮光帯用シートｃを積層する工程（ｃ）、前記遮光帯用シートｃ上に前記光透過帯用シートｃよりも厚い光透過帯用シートｂを積層し、続いて前記光透過帯用シートｂ上に遮光帯用シートｂを積層する工程（ｂ）、を含む。
前記工程（ａ）は、光透過帯用シートａ１上に遮光帯用シートａ１を積層すること、前記遮光帯用シートａ１上に前記光透過帯用シートａ１よりも薄い光透過帯用シートａ２を積層すること、及び前記光透過帯用シートａ２上に遮光帯用シートａ２を積層すること、を含む。
前記工程（ｃ）は、前記遮光帯用シートａ２上に前記光透過帯用シートａ２よりも薄い光透過帯用シートｃ１を積層すること、前記光透過帯用シートｃ１上に遮光帯用シートｃ１を積層すること、前記遮光帯用シートｃ１上に前記光透過帯用シートｃ１よりも薄い光透過帯用シートｃ２を積層すること、前記光透過帯用シートｃ２上に遮光帯用シートｃ２を積層すること、前記遮光帯用シートｃ２上に前記光透過帯用シートｃ２よりも厚い光透過帯用シートｃ３を積層すること、及び前記光透過帯用シートｃ３上に遮光帯用シートｃ３を積層すること、を含む。
前記工程（ｂ）は、前記遮光帯用シートｃ３上に前記光透過帯用シートｃ３よりも厚い光透過帯用シートｂ１を積層すること、前記光透過帯用シートｂ１上に遮光帯用シートｂ１を積層すること、前記遮光帯用シートｂ１上に前記光透過帯用シートｂ１よりも厚い光透過帯用シートｂ２を積層すること、及び光透過帯用シートｂ２上に遮光帯用シートｂ２を積層すること、を含む。
このようにして得た積層体を切断工程により切断することにより、光透過帯１１の幅がＸ方向の中央から端部に向うにつれて漸次大きくされたルーバー層５０を形成できる。
【００６２】
本実施形態の視野角制御体の使用形態は第１実施形態と同様である。したがって、本実施形態の視野角制御体を画像表示体表示面に設けることにより、覗き見防止性を確保できる。また、本実施形態においても、第１端部領域及び第２端部領域における複数の光透過帯の幅の平均値が中央領域における複数の光透過帯の幅の平均値より広くされており、第１端部領域及び第２端部領域における視野角が広くなっている。そのため、中央領域の正面に位置する使用者が、表示面の端部領域に表示された画像を見た際、その画像は視野角制御の視野角範囲内に入るため、容易に視認できる。
特に本実施形態の視野角制御体は、その長手方向の中央から端部に向うにつれて光透過帯の幅が漸次大きくなっているため、長手方向の中央から端部に向うにつれて視野角が漸次広くなっている。そのため、覗き見防止性と端部領域に表示された画像の視認性とをより両立しやすくなっている。また、隣接する領域間の濃淡の差を小さくでき、視野角制御体の見栄えが良好になる。
【００６３】
＜その他の実施形態＞
なお、本発明は、上記実施形態に限定されるものではない。
例えば、光透過帯及び遮光帯はＹ方向に沿って形成されなくてもよく、Ｙ方向に対して斜めに形成されていてもよい。光透過帯及び遮光帯がＹ方向に対して斜めに形成される場合、その傾斜角は、例えば、Ｙ方向に対して１°以上２０°以下とされる。視野角制御体を液晶表示装置の表面に設けた場合には、Ｙ方向に対して斜めに形成された光透過帯及び遮光帯を用いると、干渉縞の発生を容易に抑制することができる。
光透過帯及び遮光帯をＹ方向に対して斜めに形成した場合には、各領域の形状が台形又は平行四辺形になる。
また、上記実施形態のように、光透過帯及び遮光帯はＹ方向に沿って形成されている場合には、干渉縞の発生を防止するために、液晶表示装置の画面の短手方向（Ｙ方向）に対して、光透過帯及び遮光帯が斜めに配置されるように視野角制御体を画面に設けてもよい。その場合の傾斜角も、例えば、Ｙ方向に対して１°以上２０°以下とされる。
【００６４】
各領域における遮光帯の設置角は同一でなくてもよい。例えば、第１端部領域における遮光帯の設置角と中央領域における遮光帯の設置角とが異なってもよいし、第２端部領域における遮光帯の設置角と中央領域における遮光帯の設置角とが異なってもよい。第１中間領域における遮光帯の設置角と中央領域における遮光帯の設置角とが異なってもよいし、第２中間領域における遮光帯の設置角と中央領域における遮光帯の設置角とが異なってもよい。第１中間領域における遮光帯の設置角と第１端部領域における遮光帯の設置角とが異なってもよいし、第２中間領域における遮光帯の設置角と第２端部領域における遮光帯の設置角とが異なってもよい。
しかし、視野角制御体を容易に製造できることから、視野角制御体の全体にわたって遮光帯の設置角が同一であることが好ましい。
【００６５】
上記第１実施形態及び第２実施形態においては、各領域内で光透過帯の幅が同一とされている。しかし、本発明においては、光透過帯の幅が漸次変化する領域と、光透過帯の幅が同一の領域とが混在してもよい。例えば、第１実施形態及び第２実施形態の第１端部領域及び第２端部領域において、中央領域から離間するにつれて光透過帯の幅が漸次大きくなってもよい。同様に、第２実施形態の第１端部領域及び第２端部領域において、中央領域から離間するにつれて光透過帯の幅が漸次大きくなってもよい。また、第２実施形態の第１中間領域及び第２中間領域において、中央領域から離間するにつれて光透過帯の幅が漸次大きくなってもよい。第３実施形態の第１端部領域及び第２端部領域において、光透過帯の幅が同一であってもよい。
また、第３実施形態の第１中間領域及び第２中間領域は、さらに複数の領域に分割され、分割された各領域内で光透過帯の幅が異なってもよい。ただし、その場合でも、中央領域に近い領域に設けられた光透過帯の幅よりも、中央領域から遠い領域に設けられた光透過帯の幅が大きくされる。分割された各領域内の光透過帯の幅は同一でもよいし、漸次変化してもよい。
【００６６】
本発明において、視野角制御体は長方形でなくてもよく、例えば、正方形でもよいし、他の形状（菱形、四角形以外の多角形、真円、楕円等）であってもよい。しかし、通常、画像表示装置の画面は長方形であるから、それに対応して、本発明の視野角制御体は上記実施形態のように長方形のものが好適である。
視野角制御体が長方形でない場合、第１端部領域は、視野角制御体の面方向に沿った任意の一方向Ａにおける視野角制御体の一方の端部を含む領域であり、第２端部領域は、前記方向Ａにおける視野角制御体の他方の端部を含む領域である。中央領域は、第１端部領域と第２端部領域との間の領域である。方向Ａは視野角制御体の形状又は画像表示体の形状等によって適宜決定され、例えば、光遮光帯及び遮光帯の長手方向に対して垂直方向を方向Ａとすることができる。
【００６７】
本発明の視野角制御体は、光出射側の透明保護層の面及び光入射側の透明保護層の面の少なくとも一方に貼着層が設けられていてもよい。この貼着層は、透明性が高い粘着剤又は接着剤により構成された層であり、画像表示体、タッチパネル等の被着体に視野角制御体を固定するための層である。
貼着層は、Ｚ方向に沿って光を入射させたときの光透過率が７５％以上であることが好ましく、８５％以上であることがより好ましい。具体的には、７５％以上１００％以下が好ましく、８５％以上１００％以下がより好ましい。
貼着層が粘着剤で構成される場合、粘着剤としては、例えば、アクリル系粘着剤、ウレタン系粘着剤、ゴム系粘着剤等を使用できる。また、粘着剤としてエラストマーを使用することができる。エラストマーの具体例としては、シリコーンゴム、シリコーンゲル、ウレタンゴム、ウレタンゲル等が挙げられ、これらの中でも、糊残りが少なく、透明性が高い点でシリコーンゴムが好ましい。
粘着剤は再剥離性のものでもよい。再剥離性粘着剤としては、透明なものであれば市販のものを制限なく使用できる。
粘着剤がエラストマーからなる場合には、貼着層の表面が鏡面加工されることで再剥離性が得られる。
貼着層が接着剤で構成される場合、接着剤としては、例えば、アクリル系接着剤、ウレタン系接着剤等を使用できる。これら接着剤のなかでも、接着力が高いことから、アクリル系接着剤が好ましい。
粘着剤及び接着剤は１種を単独で使用してもよいし、２種以上を併用してもよい。
貼着層を積層する方法としては、例えば、離型シート表面に貼着剤を塗工して貼着層を形成した後、その貼着層を透明保護層に貼合して積層する方法が挙げられる。また、貼着層を積層する他の方法として、透明保護層に貼着層形成用貼着剤を直接塗工して貼着層を形成し、必要に応じて貼着層に離型シートを積層する方法が挙げられる。
【００６８】
また、本発明の視野角制御体は、第１透明保護層及び第２透明保護層の少なくとも一方を備えず、その代わりに、貼着層を備えてもよい。すなわち、ルーバー層の光出射側の面に第１透明保護層が設けられていると共に光入射側の面に貼着層が設けられた視野角制御体、ルーバー層の光出射側の面に貼着層が設けられていると共に光入射側の面に第２透明保護層が設けられた視野角制御体であってもよい。
また、本発明においては、第１透明保護層及び貼着層の少なくとも一方を有していなくてもよい。
【００６９】
本発明の視野角制御体を、タッチセンサ付きの画像表示装置を備えた情報入出力機器に使用する場合、通常、視野角制御体は画像表示装置とタッチパネルとの間に配置される。
前記情報入出力機器を作製する際には、視野角制御体を画像表示体に取り付けた後に視野角制御体にタッチパネルを取り付けてもよいし、視野角制御体をタッチパネルに取り付けた後に視野角制御体に画像表示体を取り付けてもよい。
取り付けに際しては、視野角制御体に設けた貼着層を使用してもよいし、使用しなくてもよい。
【００７０】
また、本発明は、例えば、中央付近の領域において、長方形の視野角制御体の長手方向の長さの８０％の領域を中央領域とし、残りの領域のうち、視野角制御体の長手方向の長さの１０％の領域を第１端部領域とし、視野角制御体の長手方向の長さの１０％の領域を第２端部領域とするなど、便宜上領域幅を決定した際に、第１端部領域及び第２端部領域に設けられた光透過帯の平均幅が、中央領域に設けられた光透過帯の平均幅よりも広いものも含まれる。
光透過帯の平均幅は、視野角制御体又はルーバー層の単体の断面写真にて、各領域内の全ての光透過帯の幅を計測し、それらの値を平均することで求めることができる。
【実施例】
【００７１】
以下に実施例を示すが、本発明はこの実施例に限定されるものではない。
（実施例１）
図１に示す構成の視野角制御体を製造した。
まず、透明シリコーンゴム（信越化学工業社製、商品名；ＫＥ１５３Ｕ）からなる厚さ１９０μｍの第１光透過帯用シート及び第３光透過帯用シートを用意した。また、透明シリコーンゴム（信越化学工業社製、商品名；ＫＥ１５３Ｕ）からなる厚さ１５０μｍの第２光透過帯用シートを用意した。
これとは別に、透明シリコーンゴム（信越化学工業社製、商品名；ＫＥ１５３Ｕ）１００質量部に対してカーボンブラックを１５質量部添加した材料からなる厚さ２０μｍの遮光帯用シートを用意した。これを第１遮光帯用シート、第２遮光帯用シート、及び第３遮光帯用シートとして用いた。
複数の第１光透過帯用シートと複数の第１遮光帯用シートとを交互に積層して第１積層ユニットを形成した。複数の第２光透過帯用シートと複数の第２遮光帯用シートとを交互に積層して第２積層ユニットを形成した。複数の第３光透過帯用シートと複数の第３遮光帯用シートとを交互に積層して第３積層ユニットを形成した。
次いで、第１積層ユニットと第３積層ユニットとの間に第２積層ユニットが配置されるように、３つの積層ユニットを接着して積層体を形成した。その積層体を加熱しながら加圧して、３つの積層ユニットが一体化したブロック体を得た。次いで、前記ブロック体を、各シート表面に対して垂直にスライスしてルーバー層１０を得た。
次いで、得られたルーバー層１０の光出射側になる面に、熱硬化型接着剤（信越化学工業社製、商品名；ＫＥ１８２５）を塗布したポリカーボネートシート（第１透明保護層２０）を貼り合わせ、接着剤を熱硬化させた。
次いで、得られたルーバー層１０の光入射側になる面に、熱硬化型接着剤（信越化学工業社製、商品名；ＫＥ１８２５）を塗布したポリカーボネートシート（第２透明保護層３０）を貼り合わせ、接着剤を熱硬化させた。これにより、平面視の形状が長方形で、長手方向の長さが３４０ｍｍ、短手方向の長さが２００ｍｍの視野角制御体を得た。
得られた視野角制御体を、画像が全面に印刷された紙面の上に置き、目視によって、覗き見防止性と、表示面端部領域の画像の視認性とを観察し、評価した。その際、目と紙面との距離を３００ｍｍとした。
本例の視野角制御体は、中央領域だけでなく端部領域においても覗き見防止性を有しており、しかも、表示面端部領域の画像を充分に視認することができた。【００７２】
（比較例１）
第１光透過帯用シートの厚さ及び第３光透過帯用シートの厚さを共に１５０ｍｍにした以外は実施例１と同様にして視野角制御体を得た。
本例の視野角制御体についても実施例１と同様に、覗き見防止性と、表示面端部領域の画像の視認性とを目視観察し、評価した。
本例の視野角制御体は、中央領域及び端部領域において覗き見防止性を有していたが、表示面端部領域の画像を視認することができなかった。
【産業上の利用可能性】
【００７３】
本発明の視野角制御体は、画像表示体により表示された画像を覗き見されても画像が視認されにくい覗き見防止性を有しながらも、画像表示体表示面の端部領域に表示された画像の視認性を確保できる。
本発明の視野角制御体の製造方法によれば、上記の効果を有する視野角制御体を容易に製造できる。
本発明の視野角制御画像表示体は、覗き見防止性を有する共に、画像表示体表示面の端部領域に表示された画像の視認性が確保されている。
【符号の説明】
【００７４】
１，２，３  視野角制御体
１ａ，２ａ，３ａ  第１端部領域
１ｂ，２ｂ，３ｂ  第２端部領域
１ｃ，２ｃ，３ｃ  中央領域
２ｄ  第１中間領域
２ｅ  第２中間領域
１０，４０，５０  ルーバー層
１１  光透過帯
１２  遮光帯
２０  第１透明保護層
３０  第２透明保護層
１００  ブロック体
１１０  光透過帯用シート
１１１  第１光透過帯用シート
１１２  第２光透過帯用シート
１１３  第３光透過帯用シート
１１４  第４光透過帯用シート
１１５  第５光透過帯用シート
１２０  遮光帯用シート
１２１  第１遮光帯用シート
１２２  第２遮光帯用シート
１２３  第３遮光帯用シート
１２４  第４遮光帯用シート
１２５  第５遮光帯用シート
【図１】
2018225643.tif 000003
【図２】
2018225643.tif 000004
【図３】
2018225643.tif 000005
【図４】
2018225643.tif 000006
【図５】
2018225643.tif 000007
【国際調査報告】
2018225643.tif 000008
2018225643.tif 000009
2018225643.tif 000010